(57)【要約】第１ユーザが、第１ユーザ端末２０で（例えば、逸失物に関連付けられた）コード３を読み取ると、所定条件において、取得されたコードデータ５とともに、第１ユーザ端末２０の位置情報６を情報管理サーバ５０に送信する。第１ユーザは、この場合、逸失物の発見者である。第２ユーザは、第２ユーザ端末３０でコード３を登録し、その後、逸失物の捜索を情報管理サーバ５０に対して指示すると、第１ユーザ端末２０から送信された位置情報を含む捜索画面が第２ユーザ端末３０に提供される。第２ユーザはこの場合、逸失物の所有者である。
2018084023.tif 000002
【特許請求の範囲】
【請求項１】
第１ユーザ端末と第２ユーザ端末に、ネットワークを介して接続される情報管理サーバを備えた情報管理システムであって、
前記情報管理サーバは、
物に関連付けられたコードから取得されたコードデータを、前記第１ユーザ端末から受信するコードデータ受信手段と、
前記第１ユーザ端末の位置情報を、前記第１ユーザ端末から受信する位置情報受信手段と、
前記位置情報を受信した場合に、前記位置情報と前記コードデータを対応付けて記憶するコードデータ記憶手段と、
前記第２ユーザ端末から、前記物に関連付けられた前記コードから取得されたコードデータ、又は前記物に関連付けられた他のコードから取得されたコードデータを受信した場合であって、所定条件を満たす場合に、前記第２ユーザ端末において表示を行うための第２ユーザ端末表示用データを生成するデータ生成手段とを有し、
前記第２ユーザ端末表示用データは、前記コードデータ記憶手段に、前記第２ユーザ端末から受信した前記コードデータに対応する前記位置情報が記憶されている場合に、当該位置情報を含むよう生成されることを特徴とする情報管理システム。
【請求項２】
第１ユーザ端末応答手段をさらに有し、
前記第１ユーザ端末応答手段は、
前記第２ユーザ端末から、特定コードデータに関して所定の設定がされている場合であって、前記コードデータ受信手段が前記第１ユーザ端末から前記特定コードデータを受信した場合に、前記第１ユーザ端末において映像の表示を行うための第１ユーザ端末表示用データを生成することを特徴とする、請求項１に記載の情報管理システム。
【請求項３】
前記第２ユーザ端末表示用データにより前記第２ユーザ端末において前記表示が行われた場合に、前記第１ユーザ端末と前記第２ユーザ端末との間で音声、又はテキストによるコミュニケーションを可能とするコミュニケーション手段をさらに有することを特徴とする、請求項１に記載の情報管理システム。
【請求項４】
前記第２ユーザ端末表示用データには、前記位置情報に基づくマップ表示を行うためのデータが含まれ、
前記マップ表示は、前記コードデータに対応する前記位置情報が複数ある場合に、当該複数の前記位置情報の推移を示すよう構成できることを特徴とする、請求項１に記載の情報管理システム。
【請求項５】
ユーザ端末に、ネットワークを介して接続される情報管理サーバを備えた情報管理システムであって、
前記情報管理サーバは、
身につける物に関連付けられたコードから取得されたコードデータを、前記ユーザ端末から受信するコードデータ受信手段と、
前記ユーザ端末の位置情報を、前記ユーザ端末から受信する位置情報受信手段と、
前記コードデータ受信手段が前記ユーザ端末から前記コードデータを受信した場合に、前記コードデータに対応する前記身につける物の着用に関する指標、及び前記位置情報から把握される気象情報に基づいて、前記身につける物を着用した場合の適性度を算出する適性度算出手段と、
前記ユーザ端末において前記適性度の表示を行うためのユーザ端末表示用データを生成するデータ生成手段とを有することを特徴とする情報管理システム。
【請求項６】
第１ユーザ端末と第２ユーザ端末に、ネットワークを介して接続される情報管理サーバを備えた情報管理システムであって、
前記情報管理サーバは、
身につける物に関連付けられたコードから取得された第１コードデータを、前記第１ユーザ端末から受信するコードデータ受信手段と、
前記第１ユーザ端末を利用するユーザのユーザ識別情報を、前記第１ユーザ端末から受信するユーザ識別情報受信手段と、
前記第１ユーザ端末の位置情報を、前記第１ユーザ端末から受信する位置情報受信手段と、
管理対象人物が身につける物に関連付けられたコードから取得された第２コードデータと前記管理対象人物の身元特定情報を、前記第２ユーザ端末から受信した場合に、前記身元特定情報と前記第２コードデータを対応付けて記憶する身元特定情報記憶手段とを有し、
前記第１ユーザ端末から、前記第１コードデータ、前記ユーザ識別情報、及び前記位置情報を受信した場合に、前記ユーザ識別情報に基づく前記ユーザの本人認証結果、及び前記位置情報に基づく位置認証結果に応じて、前記第１コードデータに対応する前記第２コードデータに対応付けられた前記身元特定情報を前記身元特定情報記憶手段から取得し、前記第１ユーザ端末において表示するための第１ユーザ端末表示用データを、取得された前記身元特定情報を含むように生成することを特徴とする情報管理システム。
【請求項７】
第１ユーザ端末と第２ユーザ端末に、ネットワークを介して接続される情報管理サーバで実行される情報管理方法であって、
前記情報管理サーバにおいて、
物に関連付けられたコードから取得されたコードデータを、前記第１ユーザ端末から受信するコードデータ受信ステップと、
前記第１ユーザ端末の位置情報を、前記第１ユーザ端末から受信する位置情報受信ステップと、
前記位置情報を受信した場合に、前記位置情報と前記コードデータを対応付けてコードデータ記憶手段に記憶するコードデータ記憶ステップと、
前記第２ユーザ端末から、前記物に関連付けられた前記コードから取得されたコードデータ、又は前記物に関連付けられた他のコードから取得されたコードデータを受信した場合であって、所定条件を満たす場合に、前記第２ユーザ端末において表示を行うための第２ユーザ端末表示用データを生成するデータ生成ステップとを有し、
前記第２ユーザ端末表示用データは、前記コードデータ記憶手段に、前記第２ユーザ端末から受信した前記コードデータに対応する前記位置情報が記憶されている場合に、当該位置情報を含むよう生成されることを特徴とする情報管理方法。
【請求項８】
ユーザ端末に、ネットワークを介して接続される情報管理サーバで実行される情報管理方法であって、
前記情報管理サーバにおいて、
身につける物に関連付けられたコードから取得されたコードデータを、前記ユーザ端末から受信するコードデータ受信ステップと、
前記ユーザ端末の位置情報を、前記ユーザ端末から受信する位置情報受信ステップと、
前記コードデータ受信ステップが前記ユーザ端末から前記コードデータを受信した場合に、前記コードデータに対応する前記身につける物の着用に関する指標、及び前記位置情報から把握される気象情報に基づいて、前記身につける物を着用した場合の適性度を算出する適性度算出ステップと、
前記ユーザ端末において前記適性度の表示を行うためのユーザ端末表示用データを生成するデータ生成ステップとを有することを特徴とする情報管理方法。
【請求項９】
第１ユーザ端末と第２ユーザ端末に、ネットワークを介して接続される情報管理サーバで実行される情報管理方法であって、
前記情報管理サーバにおいて、
身につける物に関連付けられたコードから取得された第１コードデータを、前記第１ユーザ端末から受信するコードデータ受信ステップと、
前記第１ユーザ端末を利用するユーザのユーザ識別情報を、前記第１ユーザ端末から受信するユーザ識別情報受信ステップと、
前記第１ユーザ端末の位置情報を、前記第１ユーザ端末から受信する位置情報受信ステップと、
管理対象人物が身につける物に関連付けられたコードから取得された第２コードデータと前記管理対象人物の身元特定情報を、前記第２ユーザ端末から受信した場合に、前記身元特定情報と前記第２コードデータを対応付けて身元特定情報記憶手段に記憶する身元特定情報記憶ステップとを有し、
前記第１ユーザ端末から、前記第１コードデータ、前記ユーザ識別情報、及び前記位置情報を受信した場合に、前記ユーザ識別情報に基づく前記ユーザの本人認証結果、及び前記位置情報に基づく位置認証結果に応じて、前記第１コードデータに対応する前記第２コードデータに対応付けられた前記身元特定情報を前記身元特定情報記憶手段から取得し、前記第１ユーザ端末において表示するための第１ユーザ端末表示用データを、取得された前記身元特定情報を含むように生成することを特徴とする情報管理方法。
【発明の詳細な説明】
【技術分野】
【０００１】
この発明は、衣服等から読み取ったコードと読み取り位置に基づいて、当該衣服等に関わる人の情報を管理する情報管理システムに関する。
【背景技術】
【０００２】
従来より、バーコードや２次元コードといったコードをスマートフォン等の携帯機器で読み取り、そのコードに関連付けられた情報を当該携帯機器に表示するようなシステムが存在する。【０００３】
代表的な例としては、食肉の包装容器に貼付されたバーコードを携帯機器で読み取ると、そのバーコードに関連付けられた当該食肉に関する情報（銘柄、生産者、飼料等の情報等）をその携帯機器に表示するトレーサビリティシステムがある。【０００４】
また、特許文献１には、２次元コード付きネイルシールが提案されている。このネイルシールを患者等の爪に貼付しておき、当該患者が行方不明になった場合に、ネイルシールを読み取ることによって連絡先情報を読み取ることができる。
【先行技術文献】
【特許文献】
【０００５】
【特許文献１】特開２０１６−２９４５２号公報
【発明の概要】
【発明が解決しようとする課題】
【０００６】
しかしながら、上記の従来技術のように、携帯機器で読み取ったコードに基づいて、その携帯機器に情報を送信するシステムは存在するが、読み取ったコードと、当該コードを読み取った携帯機器の位置に応じて、所定の処理を行うよう制御するシステムはこれまでに提案されていない。【０００７】
また、従来技術では、コードを携帯機器で読み取った場合に、所定の情報が、その携帯機器に表示されるが、読み取られたコードに対して直接的、又は間接的な関連を有する者の端末に対して当該情報を表示するようなシステムはこれまでに存在しない。【０００８】
従って、本発明の目的は、読み取ったコードと、当該コードを読み取った位置に応じて、関連する端末に所定の情報を表示するよう制御する情報管理システムを提供することにある。
【課題を解決するための手段】
【０００９】
本発明の第１の実施態様に係る発明は、下記の構成を有する。
第１ユーザ端末（例えば、第１ユーザ端末２０）と第２ユーザ端末（例えば、第２ユーザ端末３０）に、ネットワークを介して接続される情報管理サーバ（例えば、情報管理サーバ５０）を備えた情報管理システム（例えば、情報管理システム１）であって、
前記情報管理サーバは、
物（例えば、対象２に対応する、衣服、帽子、アクセサリー、アンダーウエアといった、身につける物や、鞄、靴、財布、財布等に入れるカードといった物）に関連付けられたコード（例えば、コード３）から取得されたコードデータ（例えば、コードデータ５）を、前記第１ユーザ端末から受信するコードデータ受信手段（例えば、第１ユーザ端末アクセス管理部５５１）と、
前記第１ユーザ端末の位置情報を、前記第１ユーザ端末から受信する位置情報受信手段（例えば、逸失物等管理部５５３）と、
前記位置情報を受信した場合に、前記位置情報と前記コードデータを対応付けて記憶するコードデータ記憶手段（例えば、コード情報管理テーブル５７１）と、
前記第２ユーザ端末から、前記物に関連付けられた前記コードから取得されたコードデータ、又は前記物に関連付けられた他のコードから取得されたコードデータを（例えば、購入時や第１ユーザ端末２０からの受信より前に）受信した場合であって、所定条件を満たす場合に（例えば、第２ユーザ端末３０によって捜索フラグがオンに設定され、第１ユーザ端末２０によってＧＰＳデータの送信が許可された場合）、前記第２ユーザ端末において表示を行うための第２ユーザ端末表示用データ（例えば、第２ユーザ端末の専用アプリケーションが扱う表示用データ）を生成するデータ生成手段（例えば、第２ユーザ端末アクセス管理部５５９）とを有し、
前記第２ユーザ端末表示用データは、前記コードデータ記憶手段に、前記第２ユーザ端末から受信した前記コードデータに対応する前記位置情報が記憶されている場合に、当該位置情報（例えば、図２６に示すようなマップ表示）を含むよう生成されることを特徴とする情報管理システム。【００１０】
このような本発明の構成によって、読み取ったコードと、当該コードを読み取った位置に応じて、関連する端末に所定の情報が表示される。特に、衣服等の物に付けられたコードを読み取った第１ユーザ端末の位置情報が、第１ユーザ端末とは異なる第２ユーザ端末に提供される。そのため、当該衣服等の位置情報を、その衣服等とは異なる場所にいる関係者が容易に把握することができる。【００１１】
本発明の第２の実施態様に係る発明は、第１の実施態様において下記の構成を有する。
第１ユーザ端末応答手段（例えば、逸失物等管理部５５３）をさらに有し、
前記第１ユーザ端末応答手段は、
前記第２ユーザ端末から、特定コードデータに関して所定の設定（例えば、図２５に示す、捜索フラグオフの設定）がされている場合であって、前記コードデータ受信手段が前記第１ユーザ端末から前記特定コードデータを受信した場合に、前記第１ユーザ端末において映像の表示を行うための第１ユーザ端末表示用データ（例えば、ＷＥＢページ表示用データ）を生成する。【００１２】
本発明の第３の実施態様に係る発明は、第１の実施態様において下記の構成を有する。
前記第２ユーザ端末表示用データにより前記第２ユーザ端末において前記表示が行われた場合に、前記第１ユーザ端末と前記第２ユーザ端末との間で音声、又はテキストによるコミュニケーション（例えば、チャットや音声通話によるコミュニケーション）を可能とするコミュニケーション手段（例えば、コミュニケーション管理部５５８）をさらに有する。【００１３】
本発明の第４の実施態様に係る発明は、第１の実施態様において下記の構成を有する。
前記第２ユーザ端末表示用データには、前記位置情報に基づくマップ表示を行うためのデータが含まれ、
前記マップ表示は、前記コードデータに対応する前記位置情報が複数ある場合に、当該複数の前記位置情報の推移を示すよう構成できる（例えば、図２８Ａ、図２８Ｂに示すようなマップ表示）。【００１４】
本発明の第５の実施態様に係る発明は、下記の構成を有する。
ユーザ端末（例えば、第１ユーザ端末２０）に、ネットワークを介して接続される情報管理サーバ（例えば、情報管理サーバ５０）を備えた情報管理システム（例えば、情報管理システム１）であって、
前記情報管理サーバは、
身につける物（例えば、対象２に対応する、衣服やアクセサリーといった物）に関連付けられたコード（例えば、コード３）から取得されたコードデータ（例えば、コードデータ５）を、前記ユーザ端末から受信するコードデータ受信手段（例えば、第１ユーザ端末アクセス管理部５５１）と、
前記ユーザ端末の位置情報を、前記ユーザ端末から受信する位置情報受信手段（例えば、適性度管理部５５４）と、
前記コードデータ受信手段が前記ユーザ端末から前記コードデータを受信した場合に、前記コードデータに対応する前記身につける物の着用に関する指標（例えば、図１３に示すような衣服の特性指標）、及び前記位置情報から把握される気象情報に基づいて、前記身につける物を着用した場合の適性度を算出する適性度算出手段（例えば、適性度管理部５５４）と、
前記ユーザ端末において前記適性度の表示を行うためのユーザ端末表示用データ（例えば、ＷＥＢページ表示用データ）を生成するデータ生成手段（例えば、適性度管理部５５４）とを有することを特徴とする情報管理システム。【００１５】
このような本発明の構成によって、読み取ったコードと、当該コードを読み取った位置に応じて、関連する端末に所定の情報が表示される。特に、衣服のような、身につける物に付けられたコードを読み取ったユーザ端末の位置情報に応じて得られた気象情報に基づいて、当該衣服等の適性度が算出され、当該適性度がそのユーザ端末に提供される。そのため、ユーザ端末のユーザは、それぞれの衣服等について、その場の天気や気温に応じた適性度を容易に把握することができる。【００１６】
本発明の第６の実施態様に係る発明は、下記の構成を有する。
第１ユーザ端末（例えば、第１ユーザ端末２０）と第２ユーザ端末（例えば、第２ユーザ端末３０）に、ネットワークを介して接続される情報管理サーバ（例えば、情報管理サーバ５０）を備えた情報管理システム（例えば、情報管理システム１）であって、
前記情報管理サーバは、
身につける物（例えば、対象２に対応する、患者のアンダーウエアといった物）に関連付けられたコードから取得された第１コードデータ（例えば、コードデータ５）を、前記第１ユーザ端末から受信するコードデータ受信手段（例えば、第１ユーザ端末アクセス管理部５５１）と、
前記第１ユーザ端末を利用するユーザのユーザ識別情報（例えば、デバイスＩＤやユーザＩＤなどのユーザ識別情報８）を、前記第１ユーザ端末から受信するユーザ識別情報受信手段（例えば、第１ユーザ端末アクセス管理部５５１）と、
前記第１ユーザ端末の位置情報を、前記第１ユーザ端末から受信する位置情報受信手段（例えば、身元特定情報管理部５５７）と、
管理対象人物が身につける物（例えば、対象２に対応する、管理対象人物のアンダーウエアといった物）に関連付けられたコードから取得された第２コードデータ（例えば、コードデータ５）と前記管理対象人物の身元特定情報を、前記第２ユーザ端末から受信した場合に、前記身元特定情報と前記第２コードデータを対応付けて記憶する身元特定情報記憶手段（例えば、身元特定情報テーブル５８０）とを有し、
前記第１ユーザ端末から、前記第１コードデータ、前記ユーザ識別情報、及び前記位置情報を受信した場合に、前記ユーザ識別情報に基づく前記ユーザの本人認証結果、及び前記位置情報に基づく位置認証結果に応じて、前記第１コードデータに対応する前記第２コードデータに対応付けられた前記身元特定情報を前記身元特定情報記憶手段から取得し、前記第１ユーザ端末において表示するための第１ユーザ端末表示用データ（例えば、ＷＥＢページ表示用データ）を、取得された前記身元特定情報を含むように生成することを特徴とする情報管理システム。【００１７】
このような本発明の構成によって、読み取ったコードと、当該コードを読み取った位置に応じて、関連する端末に所定の情報が表示される。特に、患者等のアンダーウエア等に付けられたコードを読み取った第１ユーザ端末について、本人認証と、位置情報に基づいた位置認証が行われ、それらの認証結果に応じて、第１ユーザ端末に、第２ユーザ端末によって登録された患者等の身元特定情報が提供される。そのため、管理対象人物の身元特定情報が、本人認証と位置認証をクリアした者だけに開示され、緊急な状況であっても、個人情報等の漏洩を効果的に防止することができる。【００１８】
本発明の第７の実施態様に係る発明は、下記の構成を有する。
第１ユーザ端末と第２ユーザ端末に、ネットワークを介して接続される情報管理サーバで実行される情報管理方法であって、
前記情報管理サーバにおいて、
物に関連付けられたコードから取得されたコードデータを、前記第１ユーザ端末から受信するコードデータ受信ステップと、
前記第１ユーザ端末の位置情報を、前記第１ユーザ端末から受信する位置情報受信ステップと、
前記位置情報を受信した場合に、前記位置情報と前記コードデータを対応付けてコードデータ記憶手段に記憶するコードデータ記憶ステップと、
前記第２ユーザ端末から、前記物に関連付けられた前記コードから取得されたコードデータ、又は前記物に関連付けられた他のコードから取得されたコードデータを受信した場合であって、所定条件を満たす場合に、前記第２ユーザ端末において表示を行うための第２ユーザ端末表示用データを生成するデータ生成ステップとを有し、
前記第２ユーザ端末表示用データは、前記コードデータ記憶手段に、前記第２ユーザ端末から受信した前記コードデータに対応する前記位置情報が記憶されている場合に、当該位置情報を含むよう生成されることを特徴とする情報管理方法。【００１９】
本発明の第８の実施態様に係る発明は、下記の構成を有する。
ユーザ端末に、ネットワークを介して接続される情報管理サーバで実行される情報管理方法であって、
前記情報管理サーバにおいて、
身につける物に関連付けられたコードから取得されたコードデータを、前記ユーザ端末から受信するコードデータ受信ステップと、
前記ユーザ端末の位置情報を、前記ユーザ端末から受信する位置情報受信ステップと、
前記コードデータ受信ステップが前記ユーザ端末から前記コードデータを受信した場合に、前記コードデータに対応する前記身につける物の着用に関する指標、及び前記位置情報から把握される気象情報に基づいて、前記身につける物を着用した場合の適性度を算出する適性度算出ステップと、
前記ユーザ端末において前記適性度の表示を行うためのユーザ端末表示用データを生成するデータ生成ステップとを有することを特徴とする情報管理方法。【００２０】
本発明の第９の実施態様に係る発明は、下記の構成を有する。
第１ユーザ端末と第２ユーザ端末に、ネットワークを介して接続される情報管理サーバで実行される情報管理方法であって、
前記情報管理サーバにおいて、
身につける物に関連付けられたコードから取得された第１コードデータを、前記第１ユーザ端末から受信するコードデータ受信ステップと、
前記第１ユーザ端末を利用するユーザのユーザ識別情報を、前記第１ユーザ端末から受信するユーザ識別情報受信ステップと、
前記第１ユーザ端末の位置情報を、前記第１ユーザ端末から受信する位置情報受信ステップと、
管理対象人物が身につける物に関連付けられたコードから取得された第２コードデータと前記管理対象人物の身元特定情報を、前記第２ユーザ端末から受信した場合に、前記身元特定情報と前記第２コードデータを対応付けて身元特定情報記憶手段に記憶する身元特定情報記憶ステップとを有し、
前記第１ユーザ端末から、前記第１コードデータ、前記ユーザ識別情報、及び前記位置情報を受信した場合に、前記ユーザ識別情報に基づく前記ユーザの本人認証結果、及び前記位置情報に基づく位置認証結果に応じて、前記第１コードデータに対応する前記第２コードデータに対応付けられた前記身元特定情報を前記身元特定情報記憶手段から取得し、前記第１ユーザ端末において表示するための第１ユーザ端末表示用データを、取得された前記身元特定情報を含むように生成することを特徴とする情報管理方法。
【発明の効果】
【００２１】
本発明に係る情報管理システムによって、読み取ったコードと、当該コードを読み取った位置に応じて、関連する端末に所定の情報を表示するよう制御され、コードに関連付けられた物の情報を、関係者が容易に把握することができる。
【図面の簡単な説明】
【００２２】
【図１】本発明の一実施形態に係る情報管理システム１の処理概要を説明するための概略図である。
【図２】本発明の一実施形態に係る情報管理システム１の利用シーンを説明するための図である。
【図３】本発明の一実施形態に係る情報管理システム１の利用シーンを説明するための図である。
【図４】本発明の一実施形態に係る情報管理システム１の利用シーンを説明するための図である。
【図５】本発明の一実施形態に係る情報管理システム１の利用シーンを説明するための図である。
【図６】本発明の一実施形態に係る情報管理システム１の第１ユーザ端末のハードウェア構成の例を示す図である。
【図７】本発明の一実施形態に係る情報管理システム１の情報管理サーバのハードウェア構成の例を示す図である。
【図８】本発明の一実施形態に係る情報管理システム１の第１ユーザ端末の機能ブロック図である。
【図９】本発明の一実施形態に係る情報管理システム１の第２ユーザ端末の機能ブロック図である。
【図１０】本発明の一実施形態に係る情報管理システム１の第３ユーザ端末の機能ブロック図である。
【図１１】本発明の一実施形態に係る情報管理システム１の情報管理サーバの機能ブロック図である。
【図１２】本発明の一実施形態に係る情報管理システム１のテーブルを説明するための略線図である。
【図１３】本発明の一実施形態に係る情報管理システム１のテーブルを説明するための略線図である。
【図１４】本発明の一実施形態に係る情報管理システム１のテーブルを説明するための略線図である。
【図１５】本発明の一実施形態に係る情報管理システム１のテーブルを説明するための略線図である。
【図１６】本発明の一実施形態に係る情報管理システム１において、逸失物の情報管理や、徘徊者・迷子の情報管理を行う場合の処理を示すフローチャートである。
【図１７】本発明の一実施形態に係る情報管理システム１において、逸失物の情報管理や、徘徊者・迷子の情報管理を行う場合の処理を示すフローチャートである。
【図１８】本発明の一実施形態に係る情報管理システム１において、逸失物の情報管理や、徘徊者・迷子の情報管理を行う場合の処理を示すフローチャートである。
【図１９】本発明の一実施形態に係る情報管理システム１において、逸失物の情報管理や、徘徊者・迷子の情報管理を行う場合の処理を示すフローチャートである。
【図２０】本発明の一実施形態に係る情報管理システム１において、逸失物の情報管理や、徘徊者・迷子の情報管理を行う場合の処理を示すフローチャートである。
【図２１】本発明の一実施形態に係る情報管理システム１において、逸失物の情報管理や、徘徊者・迷子の情報管理を行う場合の処理に関連する画面を示す図である。
【図２２】本発明の一実施形態に係る情報管理システム１において、逸失物の情報管理や、徘徊者・迷子の情報管理を行う場合の処理に関連する画面を示す図である。
【図２３】本発明の一実施形態に係る情報管理システム１において、逸失物の情報管理や、徘徊者・迷子の情報管理を行う場合の処理に関連する画面を示す図である。
【図２４】本発明の一実施形態に係る情報管理システム１において、逸失物の情報管理や、徘徊者・迷子の情報管理を行う場合の処理に関連する画面を示す図である。
【図２５】本発明の一実施形態に係る情報管理システム１において、逸失物の情報管理や、徘徊者・迷子の情報管理を行う場合の処理に関連する画面を示す図である。
【図２６】本発明の一実施形態に係る情報管理システム１において、逸失物の情報管理や、徘徊者・迷子の情報管理を行う場合の処理に関連する画面を示す図である。
【図２７】本発明の一実施形態に係る情報管理システム１において、逸失物の情報管理や、徘徊者・迷子の情報管理を行う場合の処理に関連する画面を示す図である。
【図２８】本発明の一実施形態に係る情報管理システム１において、逸失物の情報管理や、徘徊者・迷子の情報管理を行う場合の処理に関連する画面を示す図である。
【図２９】本発明の一実施形態に係る情報管理システム１において、逸失物の情報管理や、徘徊者・迷子の情報管理を行う場合の処理に関連する画面を示す図である。
【図３０】本発明の一実施形態に係る情報管理システム１において、衣服等の適性度に関する情報を提供する場合の処理を示すフローチャートである。
【図３１】本発明の一実施形態に係る情報管理システム１において、衣服等の適性度に関する情報を提供する場合の処理を示すフローチャートである。
【図３２】本発明の一実施形態に係る情報管理システム１において、衣服等の適性度に関する情報を提供する場合の処理に関連する画面を示す図である。
【図３３】本発明の一実施形態に係る情報管理システム１において、衣服等の適性度に関する情報を提供する場合の処理に関連する画面を示す図である。
【図３４】本発明の一実施形態に係る情報管理システム１において、衣服等の適性度に関する情報を提供する場合の処理に関連する画面を示す図である。
【図３５】本発明の一実施形態に係る情報管理システム１において、救急搬送時における患者情報を提供する場合の処理を示すフローチャートである。
【図３６】本発明の一実施形態に係る情報管理システム１において、救急搬送時における患者情報を提供する場合の処理を示すフローチャートである。
【図３７】本発明の一実施形態に係る情報管理システム１において、救急搬送時における患者情報を提供する場合の処理に関連する画面を示す図である。
【図３８】本発明の一実施形態に係る情報管理システム１において、救急搬送時における患者情報を提供する場合の処理に関連する画面を示す図である。
【図３９】本発明の一実施形態に係る情報管理システム１において、救急搬送時における患者情報を提供する場合の処理に関連する画面を示す図である。
【符号の説明】
【００２３】
１・・・情報管理システム
２・・・対象
３・・・コード
５・・・コードデータ
６・・・位置情報
７・・・利用実績情報
８・・・ユーザ識別情報
９・・・第１ユーザ提供情報
１１・・・登録データ
１２・・・第２ユーザ提供情報
１３・・・コンテンツデータ
１４・・・組合せ情報
２０・・・第１ユーザ端末
３０・・・第２ユーザ端末
４０・・・第３ユーザ端末
５０・・・情報管理サーバ
【発明を実施するための最良の形態】
【００２４】
最初に、本発明の一実施形態に係る情報管理システムの概要を、図１を参照して説明する。図１に示す情報管理システム１では、第１ユーザ端末２０、第２ユーザ端末３０、第3ユーザ端末、及びこれらの端末にインターネット等のネットワークにより接続される情報管理サーバ５０が含まれる。【００２５】
第１ユーザ端末２０は、例えば、スマートフォンや携帯電話といったコンピュータである。第１ユーザ端末２０は、第１ユーザの操作に基づいて、対象２に関連付けられたコード３を読み取り（例えば、内蔵カメラ等で撮影し）、コード３から求められたコードデータ５を情報管理サーバ５０に送信する。また、このとき、第１ユーザ端末２０は、一定の条件を満たした場合、自身の位置をＧＰＳ（Global  Positioning  System）等により取得し、得られた位置情報６を情報管理サーバ５０に送信する。【００２６】
ここで、対象２は、例えば、衣服、帽子、アクセサリー、アンダーウエアといった、人が身につける物、又は、鞄、靴、財布、財布等に入れるカードといった、人が所持・携帯する物を含む。また、動物（ペットを含む）が身につける物や動物に装着される物も対象２に含まれる。【００２７】
また、コード３は、上述した対象２に関連付けられたコードであり、例えば、１次元コードであるバーコードや２次元コードであるＱＲコード（登録商標）である。また、ＲＦＩＤを利用した非接触ＩＣチップに記憶された固有ＩＤを含めることもできる。【００２８】
コード３が対象２に関連付けられる態様は様々である。対象２にコード３が付けられる態様としては、以下のような例が挙げられる。
・Ｔシャツ等にコード３が直接プリントされる。
・コード３を記した物が衣服にタグとして縫い付けられ、又は所定位置に保持される。
・下げ札にコード３が表示される。
・鞄等にコード３を記憶した非接触ＩＣチップが埋め込まれる。
・財布のなかに、コード３を表示した登録カードが入れられる。
・財布のなかに、コード３を記憶した非接触ＩＣチップを内蔵した非接触ＩＣカードが入れられる。【００２９】
このほか、第１ユーザ端末２０から、利用実績情報７やユーザ識別情報８が情報管理サーバ５０に送信される。【００３０】
情報管理サーバ５０は、第１ユーザ端末２０からコードデータ５が送信されると、所定条件において、第１ユーザ提供情報９を第１ユーザ端末２０に提供する。第１ユーザ提供情報９の内容や提供方法については後で詳細に説明する。【００３１】
第２ユーザ端末３０は、例えば、スマートフォン、携帯電話、デスクトップパソコンといったコンピュータである。第２ユーザ端末３０は、第２ユーザの操作に基づいて、対象２に関連付けられたコード３を読み取り（例えば、内蔵カメラ等で撮影し）、コード３から求められたコードデータ５を情報管理サーバ５０に送信する。【００３２】
上記のように、対象２のコード３は、第１ユーザ端末２０において読み取られ、さらに第２ユーザ端末３０においても読み取られ、基本的には同じコードデータ５が取得される。しかしながら、同じ対象２に関するものであっても、同じコード３が読み取られるとは限らない。１つの対象２に対して、異なる２つのコード（コード３、コード３’）が関連付けられている場合もある。【００３３】
また、１つの対象２に対して、同じ２つのコード３が付けられている場合であっても、これらのコード３から把握されるデータ（第１ユーザ端末で把握されるコードデータと第２ユーザ端末３０で把握されるコードデータ）が同じでない場合もある。このような場合については、後で詳細に説明する。【００３４】
情報管理サーバ５０は、第２ユーザ端末３０からコードデータ５と登録データ１１が送信されると、所定条件において、第２ユーザ提供情報１２を第２ユーザ端末３０に提供する。第２ユーザ提供情報１２の内容や提供方法については後で詳細に説明する。【００３５】
第３ユーザ端末４０は、例えば、デスクトップパソコンのようなコンピュータである。第３ユーザ端末４０は、例えば、企業が所有するコンピュータであり、担当者等の操作に基づいて、コンテンツデータ１３や組合せ情報１４を情報管理サーバ５０に送信し、所定条件において、これらの情報が、第１ユーザ端末２０や第２ユーザ端末３０に提供される。コンテンツデータ１３、組合せ情報１４は、例えば、対象２に関連するデータを含んでいる。【００３６】
なお、図１では、説明の便宜上、情報管理サーバ５０を１つのサーバコンピュータとして表しているが、例えば、異なる場所（又は、近接する位置）に設置された複数のサーバによって情報管理サーバ５０の機能を実現するよう構成することができ、当該複数のサーバは、必要に応じてネットワーク接続される。【００３７】
次に、本実施形態に係る情報管理システム１を用いたいくつかの利用シーンの例を、図２ないし図５を参照して説明する。【００３８】
図２は、本実施形態に係る情報管理システム１によって、逸失物の情報管理を行う利用シーンについてまとめたものである。【００３９】
情報管理システム１が逸失物の情報管理を行う場合、図２に示すように、第１ユーザは逸失物の発見者であり、第２ユーザは逸失物の所有者となる。また、このほか、第３ユーザとして逸失物のメーカや他のメーカが関わりうる。【００４０】
第１ユーザは、逸失物を発見した場合に、第１ユーザ端末２０の内蔵カメラを操作して逸失物のコード３を撮影し、その結果得られたコードデータ５を情報管理サーバ５０に送信する。ここで、逸失物のコード３は、例えば、逸失物である鞄の表面に付されたコードや、逸失物である財布のなかに入れられたカードに記されたコード等である。また、逸失物のコード３は、第１ユーザ端末２０の非接触ＩＣリーダにより、逸失物である鞄に埋め込まれた非接触ＩＣチップや、財布のなかに入れられた非接触ＩＣカードに記憶された固有ＩＤであってもよい。【００４１】
第１ユーザ端末２０は、情報管理サーバ５０にアクセスした際に、第２ユーザ、すなわち逸失物の所有者が逸失物の捜索指示を行っている場合、第１ユーザに位置情報６を提供するか否かを確認する。ここで、第１ユーザが、第１ユーザ端末２０を操作して、位置情報６の提供を許可すると、第１ユーザ端末２０のそのときの位置情報６が取得され、これが情報管理サーバ５０に送信される。【００４２】
第１ユーザ端末２０は、上記のように第１ユーザが位置情報６の提供について許可した場合に、位置情報６を情報管理サーバ５０に送信するが、コードデータ５を情報管理サーバ５０に送信する際に、無条件に送信するように構成してもよい。また、コードデータ５を情報管理サーバ５０に送信したとき、既にコードデータ５が第２ユーザによって登録されていた場合に、位置情報６を送信するよう構成することもできる。【００４３】
第１ユーザ端末２０は、情報管理サーバ５０に対して少なくともコードデータ５を送信すると、情報管理サーバ５０から第１ユーザ提供情報９を受信する。第１ユーザ提供情報９は、例えば、第３ユーザによりコンテンツデータ１３として提供された動画等や、第２ユーザにより登録データ１１として提供された逸失物の写真・動画等である。情報管理サーバ５０から写真・動画等が提供されるのは、例えば、第１ユーザ端末２０が情報管理サーバ５０に送信した逸失物に関するコードデータ５が、第２ユーザが情報管理サーバ５０に登録した、逸失物に関するコードデータ５と一致、又は対応する場合である。【００４４】
また、第１ユーザ提供情報９には、最寄りの交番や警察署の位置を示す地図や、警察署に通知するための情報（例えば、音声通話用のＩＤやリンク等）が含まれうる。これらは、逸失物を発見した第１ユーザが容易に、その逸失物を交番に届けたり、警察署に連絡を取ったりできるようにするためのものである。【００４５】
第２ユーザは、逸失物に対応付けられたコード３を第２ユーザ端末３０の内蔵カメラを操作して撮影し、その結果得られたコードデータ５を情報管理サーバ５０に送信する。ここで、逸失物のコード３は、上述のように、第１ユーザ端末２０によって読み取られるコードと同じものであるが、このようなコード３と対応付けて管理される別のコード３’を読み取るようにしてもよい。【００４６】
例えば、コートのような衣服の表側にコード３が付されている場合に、その購入時に付けられているコートの下げ札や登録カードに表示されているコード３’を読み取ってコードデータ５とすることができる。【００４７】
また、第２ユーザは、コードデータ５と登録データ１１を、事前に（例えば、購入時といったタイミングで）情報管理サーバ５０に登録することができるが、実際にその対象２の紛失に気づいた後で、例えば、手元の下げ札や登録カードのコード３’を第２ユーザ端末３０で読み取ることにより登録することもできる（手元の下げ札や登録カードにコード３が表示されていればそれを登録する）。【００４８】
第２ユーザは、コードデータ５を情報管理サーバ５０に送信（登録）する際、又はコードデータ５を情報管理サーバ５０に送信した後で、登録データ１１を情報管理サーバ５０に送信することができる。例えば、捜索指示を行うための捜索フラグをその対象２に対して設定し（オン）、又は解除（オフ）することができる。【００４９】
さらに、第２ユーザは、捜索フラグがオフの場合に第１ユーザ端末２０に表示される平常時コンテンツを設定する。平常時コンテンツは、この例では、後述のように、第３ユーザからコンテンツデータ１３として提供されるが、第２ユーザ自身が提供してもよい。【００５０】
また、第２ユーザは、捜索フラグがオンの場合に第１ユーザ端末２０に表示させる、逸失物に関する写真・動画等を設定することもできる。【００５１】
第２ユーザが第２ユーザ端末３０により、捜索フラグをオンに設定すると、第２ユーザ提供情報１２が情報管理サーバ５０から第２ユーザ端末３０に提供される。第２ユーザ提供情報１２には、例えば、第１ユーザから提供された位置情報６を含むマップ表示が含まれる。位置情報６は、第１ユーザによって逸失物が発見された時に、その第１ユーザ端末２０の位置を示すものであるから、基本的には逸失物の位置を表すことになる。また、このような位置情報６は、複数の第１ユーザによって提供される場合もある。【００５２】
また、第２ユーザ提供情報１２には、さらに、第２ユーザが第１ユーザとコミュニケーションを図ることができるように、チャットや音声通話用のＩＤ、リンク等が含まれる。チャットは、例えば、情報管理サーバ５０が提供する時限性のチャットシステムであり、音声通話は、例えば、情報管理サーバ５０と第２ユーザ間のＩＰ電話ネットワークと、第１ユーザの移動体通信ネットワーク（携帯電話ネットワーク）が接続されることで、第２ユーザと第１ユーザとの音声通話が実現される。【００５３】
上記のような仕組みにより、第１ユーザと第２ユーザは、互いにＳＮＳ−ＩＤや電話番号等、個人を特定可能な情報を知ることなく、コミニュケーションをとることができる。【００５４】
なお、特定のＳＮＳに乗り入れることでチャットを実現したり、ＳＭＳによるメッセージのやりとりを実現するように構成することもできるが、この場合は、第２ユーザが第１ユーザのＳＮＳ−ＩＤや電話番号を知ることができる。【００５５】
第３ユーザは、例えば、逸失物のメーカや、逸失物のジャンル（例えば、コートや鞄等）に関する他のメーカである。第３ユーザは、情報管理サーバ５０に対して、広告などの写真や動画などを含むコンテンツデータ１３を事前に送信する。これらのコンテンツデータ１３が上述したように第２ユーザによって指定されることにより、第１ユーザが逸失物のコード３を撮影してコードデータ５を情報管理サーバ５０に送信した際に、第１ユーザ端末２０に第１ユーザ提供情報９として（平常時コンテンツとして）送信され表示される。【００５６】
図３は、本実施形態に係る情報管理システム１によって、徘徊者・迷子の情報管理を行う利用シーンについてまとめたものである。【００５７】
情報管理システム１が徘徊者・迷子の情報管理を行う場合、図３に示すように、第１ユーザは徘徊者・迷子の発見者であり、第２ユーザは徘徊者・迷子の家族等である。このほか、第３ユーザとして衣服のメーカや他のメーカが関わりうる。また、第１ユーザとして、ペットなどの動物の発見者、第２ユーザとして動物の飼い主や飼育者等が設定される場合も考えられる。【００５８】
第１ユーザは、徘徊者・迷子を発見した場合に、第１ユーザ端末２０の内蔵カメラを操作して徘徊者・迷子が着用、所持する対象２のコード３を撮影し、その結果得られたコードデータ５を情報管理サーバ５０に送信する。ここで、対象２は、コートやジャケットなどの衣服、帽子、アクセサリー、鞄、財布等であり、コード３は、例えば、これらの対象２に付されたコードや、対象２（例えば、財布等）のなかに入れられたカードに記されたコード等である。また、コード３は、第１ユーザ端末２０の非接触ＩＣリーダにより、対象２に埋め込まれた非接触ＩＣチップや、対象２（例えば、財布等）のなかに入れられた非接触ＩＣカードに記憶された固有ＩＤであってもよい。【００５９】
第１ユーザ端末２０は、情報管理サーバ５０にアクセスした際に、第２ユーザ、すなわち徘徊者・迷子の家族が徘徊者・迷子の捜索指示を行っている場合、第１ユーザに位置情報６を提供するか否かを確認する。ここで、第１ユーザが、第１ユーザ端末２０を操作して、位置情報６の提供を許可すると、第１ユーザ端末２０のそのときの位置情報６が取得され、これが情報管理サーバ５０に送信される。【００６０】
第１ユーザ端末２０は、上記のように第１ユーザが位置情報６の提供について許可した場合に、位置情報６を情報管理サーバ５０に送信するが、コードデータ５を情報管理サーバ５０に送信する際に、無条件に送信するように構成してもよい。また、コードデータ５を情報管理サーバ５０に送信したとき、既にコードデータ５が第２ユーザによって登録されていた場合に、位置情報６を送信するよう構成することもできる。【００６１】
第１ユーザ端末２０は、情報管理サーバ５０に対して少なくともコードデータ５を送信すると、情報管理サーバ５０から第１ユーザ提供情報９を受信する。第１ユーザ提供情報９は、例えば、第３ユーザによりコンテンツデータ１３として提供された動画等や、第２ユーザにより登録データ１１として提供された徘徊者・迷子の写真・動画等である。情報管理サーバ５０から写真・動画等が提供されるのは、例えば、第１ユーザ端末２０が情報管理サーバ５０に送信した徘徊者・迷子に関するコードデータ５が、第２ユーザが情報管理サーバ５０に登録した、徘徊者・迷子に関するコードデータ５と一致、又は対応する場合である。【００６２】
また、第１ユーザ提供情報９には、最寄りの交番や警察署の位置を示す地図や、警察署に通知するための情報（例えば、音声通話用のＩＤやリンク等）が含まれうる。これらは、徘徊者・迷子を発見した第１ユーザが容易に、その徘徊者・迷子を交番に案内したり、警察署に連絡を取ったりできるようにするためのものである。【００６３】
第２ユーザは、徘徊者・迷子が着用、所持する対象２に対応付けられたコード３を第２ユーザ端末３０の内蔵カメラを操作して撮影し、その結果得られたコードデータ５を情報管理サーバ５０に送信する。ここで、対象２は、徘徊者・迷子が着用、所持するコートやジャケットなどの衣服、帽子、アクセサリー、鞄、財布等である。コード３は、上述のように、第１ユーザ端末２０によって読み取られるコードと同じものであるが、このようなコード３と対応付けて管理される別のコード３’を読み取るようにしてもよい。【００６４】
例えば、コートのような衣服の表側にコード３が付されている場合に、その購入時に付けられているコートの下げ札や登録カードに表示されているコード３’を読み取ってコードデータ５を取得することができる。【００６５】
また、第２ユーザは、コードデータ５と登録データ１１を、事前に（例えば、対象２の購入時といったタイミングで）情報管理サーバ５０に登録することができるが、実際に徘徊者・迷子の失踪に気づいた後で、例えば、手元の下げ札や登録カードのコード３’を第２ユーザ端末３０で読み取ることにより登録することもできる（手元の下げ札や登録カードにコード３が表示されていればそれを登録する）。【００６６】
第２ユーザは、コードデータ５を情報管理サーバ５０に送信（登録）する際、又はコードデータ５を情報管理サーバ５０に送信した後で、登録データ１１を情報管理サーバ５０に送信することができる。例えば、捜索指示を行うための捜索フラグをその対象２に対して設定し（オン）、又は解除（オフ）することができる。【００６７】
さらに、第２ユーザは、捜索フラグがオフの場合に第１ユーザ端末２０に表示される平常時コンテンツを設定する。平常時コンテンツは、この例では、後述のように、第３ユーザからコンテンツデータ１３として提供されるが、第２ユーザ自身が提供してもよい。【００６８】
また、第２ユーザは、捜索フラグがオンの場合に第１ユーザ端末２０に表示させる、徘徊者・迷子に関する写真・動画等を設定することもできる。【００６９】
第２ユーザが第２ユーザ端末３０により、捜索フラグをオンに設定すると、第２ユーザ提供情報１２が情報管理サーバ５０から第２ユーザ端末３０に提供される。第２ユーザ提供情報１２には、例えば、第１ユーザから提供された位置情報６を含むマップ表示が含まれる。位置情報６は、第１ユーザによって徘徊者・迷子が発見された時に、その第１ユーザ端末２０の位置を示すものであるから、基本的には徘徊者・迷子の位置を表すことになる。【００７０】
また、このような位置情報６は、複数の第１ユーザによって提供される場合もあり、単一又は複数の第１ユーザによって複数時点における位置情報６が提供される場合もある。このように、（基本的には、異なる時点の）複数の位置情報６が提供された場合、上述のマップ表示には、位置情報の推移（例えば、徘徊者・迷子の移動の軌跡）が表示されることになり、第２ユーザは、捜索対象である徘徊者・迷子の移動状況を効果的に把握することができる。【００７１】
また、第２ユーザ提供情報１２には、さらに、第２ユーザが第１ユーザとコミュニケーションを図ることができるように、チャットや音声通話用のＩＤ、リンク等が含まれる。チャットは、例えば、情報管理サーバ５０が提供する時限性のチャットシステムであり、音声通話は、例えば、情報管理サーバ５０と第２ユーザ間のＩＰ電話ネットワークと第１ユーザの移動体通信ネットワーク（携帯電話ネットワーク）が接続されることで、第２ユーザと第１ユーザとの音声通話が実現される。【００７２】
上記のような仕組みにより、第１ユーザと第２ユーザは、互いにＳＮＳ−ＩＤや電話番号等、個人を特定可能な情報を知ることなく、コミニュケーションをとることができる。また、第１ユーザに対して早期に連絡を取ることができれば、捜索対象である徘徊者・迷子の保護を依頼することも可能である。【００７３】
なお、特定のＳＮＳに乗り入れやＳＭＳによるメッセージのやりとりも逸失物の情報管理の場合と同様実現可能である。【００７４】
第３ユーザは、例えば、対象２である衣服等のメーカや、対象２のジャンル（例えば、コートや鞄等）に関する他のメーカである。第３ユーザは、情報管理サーバ５０に対して、広告などの写真や動画などを含むコンテンツデータ１３を事前に送信する。これらのコンテンツデータ１３が上述したように第２ユーザによって指定されることにより、第１ユーザが対象２のコード３を撮影してコードデータ５を情報管理サーバ５０に送信した際に、第１ユーザ端末２０に第１ユーザ提供情報９として（平常時コンテンツとして）送信され表示される。【００７５】
図４は、本実施形態に係る情報管理システム１によって、衣服等の適性度に関する情報の提供を行う利用シーンについてまとめたものである。【００７６】
情報管理システム１が衣服等の適性度に関する情報の提供を行う場合、図４に示すように、第１ユーザは衣服等の所有者であり、第３ユーザは衣服等のメーカや他の組織が関わりうる。この利用シーンでは、第２ユーザは存在しない。【００７７】
第１ユーザは、第１ユーザ端末２０の内蔵カメラを操作して対象２のコード３を撮影し、その結果得られたコードデータ５を情報管理サーバ５０に送信する。ここで、対象２は、例えば、クローゼットにある自身のコートやジャケットなどの衣服、帽子、アクセサリー、鞄、財布等であり、コード３は、例えば、これらの対象２に付されたコードである。【００７８】
第１ユーザ端末２０は、コードデータ５を情報管理サーバ５０に送信するとき、第１ユーザ端末２０のそのときの位置情報６が取得され、この情報も情報管理サーバ５０に送信される。【００７９】
また、第１ユーザ端末２０は、対象２のコード３から取得されたコードデータ５に関連付けて、任意のタイミングで、第１ユーザから入力された利用実績情報７を情報管理サーバ５０に送信する。この利用実績情報７は、対象２の衣服等を第１ユーザが利用した場合の日付、場所、会った相手などの情報を含む。【００８０】
第１ユーザ端末２０は、情報管理サーバ５０に対してコードデータ５と位置情報６を送信すると、情報管理サーバ５０から第１ユーザ提供情報９を受信する。第１ユーザ提供情報９には、コードデータ５に対応する衣服等の適性度が含まれる。この適性度は、対応する衣服等が、位置情報６における地方の気象情報（天気や気温等）に鑑みて着用・保持することが適切かどうかを示す指標である。また、この適性度は、第１ユーザ端末２０が、情報管理サーバ５０に対してコードデータ５と位置情報６を送信してすぐに第１ユーザ端末２０に表示され、当日の適性度を表すものであるが、日付を指定して、将来の特定の日についての適性度を表示させるようにもできる。【００８１】
また、第１ユーザ提供情報９には、コードデータ５に対応する対象２について、第１ユーザから入力された利用実績情報７に基づいて記憶・蓄積された利用履歴が含まれうる。【００８２】
さらに、第１ユーザ提供情報９には、コードデータ５に対応する対象２について、他のどのような衣服等が適切であるかを示唆する組合せ情報が含まれうる。こうした組合せ情報は、第３ユーザから提供される組合せ情報１４に基づいて求められる。例えば、コードデータ５に対応する対象２がインナーである場合、これに合うアウター、ハット、アクセサリー等の候補が示唆される。【００８３】
また、第１ユーザ提供情報９には、第３ユーザによりコンテンツデータ１３として提供された動画等が含まれうる。【００８４】
第３ユーザは、例えば、対象２である衣服等のメーカや他の組織である。第３ユーザは、情報管理サーバ５０に対して、広告などの写真や動画などを含むコンテンツデータ１３を送信する。これらの写真・動画等が、例えば、第１ユーザ端末２０から情報管理サーバ５０に送信されたコードデータ５に基づく所定の条件によって、情報管理サーバ５０から第１ユーザ端末２０に第１ユーザ提供情報９として送信され表示される。【００８５】
また、第３ユーザは、衣服等に関する好適な組合せを定義した組合せ情報１４を情報管理サーバ５０に送信する。【００８６】
図５は、本実施形態に係る情報管理システム１によって、救急搬送時における患者情報の提供を行う利用シーンについてまとめたものである。【００８７】
情報管理システム１が救急搬送時における患者情報の提供を行う場合、図５に示すように、第１ユーザは救急搬送された患者等に関わる第三者であり、一般的には、救急隊員や看護士が想定される。第２ユーザは救急搬送された患者本人（すなわち、管理対象人物であり、登録時点では患者という立場にない可能性がある）、又はその家族等である。この利用シーンでは、第３ユーザは存在しない。【００８８】
第１ユーザは、第１ユーザ端末２０の内蔵カメラを操作して対象２のコード３を撮影し、その結果得られたコードデータ５を情報管理サーバ５０に送信する。ここで、対象２は、例えば、患者のアンダーウエア等、通常では表から見ることがない衣類であり、コード３は、このようなアンダーウエア等にプリント・貼付されたコードや、アンダーウエア等に付けられた非接触型ＩＣチップなどである。【００８９】
第１ユーザ端末２０は、コードデータ５を情報管理サーバ５０に送信するとき、第１ユーザ端末２０のそのときの位置情報６と、ユーザ識別情報８（例えば、第１ユーザ端末２０から取得したデバイスＩＤや、第１ユーザが入力したユーザＩＤ等）が取得され、これらの情報も情報管理サーバ５０に送信される。【００９０】
第１ユーザ端末２０は、情報管理サーバ５０に対してコードデータ５、位置情報６、ユーザ識別情報８を送信すると、最初にユーザ識別情報８を用いて第１ユーザ端末２０や第１ユーザが正当であるか否かを確認する本人認証が行われ、次に、位置情報６を用いて、第１ユーザ端末の使用されている位置が正当であるか否かを確認する位置認証が行われ、両方の認証がＯＫである場合に、情報管理サーバ５０から第１ユーザ提供情報９を受信する。【００９１】
本人認証は、例えば、所定の機関が事前に用意した機器管理テーブルやユーザ管理テーブルを用いて、第１ユーザ端末２０や第１ユーザが正当であるか否かを確認する。位置認証は、例えば、位置情報６が、デバイスＩＤ、又はユーザＩＤに対応付けられた適正位置範囲に入っているか否かを確認する。【００９２】
第１ユーザ提供情報９は、第２ユーザにより提供された登録データ１１の内容である。登録データ１１は、例えば、患者の身元を特定するための身元特定情報であり、氏名、住所、電話番号、年令、性別のほか、血液型、病歴、薬歴などの情報を含む。【００９３】
第２ユーザは、対象２のコード３を第２ユーザ端末３０の内蔵カメラを操作して撮影し、その結果得られたコードデータ５と、これに対応する登録データ１１を情報管理サーバ５０に送信する。ここで、コード３は、上述のように、第１ユーザ端末２０によって読み取られるコードと同じものであるが、このようなコード３と対応付けて管理される別のコード３’であってもよい。【００９４】
例えば、アンダーウエア等の表側にコード３が付されている場合に、その購入時に付けられているコートの下げ札や登録カードに表示されているコード３’を読み取ってコードデータ５を取得することができる。【００９５】
また、第２ユーザは、コードデータ５を、購入時といったタイミングで情報管理サーバ５０に登録することができるが、その後の任意のタイミングで登録することもできる。【００９６】
第２ユーザは、コードデータ５を情報管理サーバ５０に送信（登録）する際、又はコードデータ５を情報管理サーバ５０に送信した後で、上述の登録データ１１（身元特定情報）を情報管理サーバ５０に送信することができる。【００９７】
第２ユーザは、第１ユーザが第１ユーザ端末で第１ユーザ提供情報９（身元特定情報）を受信した場合に、情報管理サーバ５０から第２ユーザ提供情報１２を受信する。第２ユーザ提供情報１２には、例えば、第１ユーザから提供された位置情報６が含まれる。また、その位置情報６に応じて求められた搬送先病院名等が含まれていてもよい。位置情報６は、第１ユーザによって救急搬送に関わる第三者が利用する第１ユーザ端末２０の位置を示すものであるから、基本的には患者の位置を表すことになる。【００９８】
また、第２ユーザ提供情報１２には、さらに、第２ユーザが第１ユーザとコミュニケーションを図ることができるように、チャットや音声通話用のＩＤ、リンク等が含まれる。チャットは、例えば、情報管理サーバ５０が提供するチャットシステムであり、音声通話は、例えば、情報管理サーバ５０と第２ユーザ間のＩＰ電話ネットワークと第１ユーザの移動体通信ネットワーク（携帯電話ネットワーク）が接続されることで、第２ユーザと第１ユーザとの音声通話が実現される。【００９９】
以上、図２ないし図５を参照して、本実施形態に係る情報管理システム１を用いたいくつかの利用シーンを説明したが、これらは例示に過ぎず、他の様々なシーンで情報管理システム１を利用することができる。【０１００】
また、上記の例では、基本的に、第１ユーザ端末は第１ユーザが所有するものであり、第２ユーザ端末は第２ユーザが所有するものであるが、第１ユーザ、第２ユーザともに、自己が所有する端末を用いる必要はない。ここでは、第１ユーザが操作する端末を第１ユーザ端末、第２ユーザが操作する端末を第２ユーザ端末としている。【０１０１】
さらに、図２ないし図５に示した各シーンにおいて、一連の処理について同じ第１ユーザ端末、同じ第２ユーザ端末が使用されなければならないわけではない。処理の途中で、他の端末を用いるようにすることもできる。例えば、スマートフォンを第２ユーザ端末として用いて、コードデータ５を情報管理サーバ５０に送信（登録）し、その後、他のスマートフォンを第２ユーザ端末として用いて登録データ１１の送信（登録）を行うといった操作が可能である。【０１０２】
次に、図６を参照して、第１ユーザ端末２０のハードウエア構成の例について説明する。ただし、図６の第１ユーザ端末２０は、スマートフォンについての代表的な構成を例示したにすぎない。他の様々なコンピュータを第１ユーザ端末２０として利用することができる。【０１０３】
第１ユーザ端末２０は、ＣＰＵ（Central  Processing  Unit）２０１、メモリ２０２、インカメラ２０３ａ、アウトカメラ２０３ｂ、ＧＰＳ制御部２０４、ＧＰＳ用アンテナ２０５、無線信号処理部２０６、無線通信用アンテナ２０７、オーディオ制御部２０８、マイクロフォン２０９、スピーカ２１０、ディスプレイ制御部２１１、入力機器インタフェース２１２、タッチスクリーン２１３、非接触ＩＣリーダ／ライタ２１４、センサー２１５、補助記憶装置２１６、及び外部記録媒体インタフェース２１７を含んでいる。【０１０４】
ＣＰＵ２０１は、第１ユーザ端末２０の各構成要素の動作を制御し、ＯＳの制御下で、各機能を実行する。【０１０５】
メモリ２０２は通常ＲＡＭ（Random  Access  Memory）で構成される。メモリ２０２には、ＣＰＵ２０１で実行される各機能を実現するためのプログラムが実行時にロードされ、当該プログラムに必要なデータ等が一時的に記憶される。【０１０６】
インカメラ２０３ａ、アウトカメラ２０３ｂは、第１ユーザ端末２０に内蔵される小型の撮像装置で、撮像素子がＣＣＤやＣＭＯＳといったタイプのものがある。これらのカメラによって、対象のコード３等が撮影される。インカメラ２０３ａは、後述するタッチスクリーン２１３の付近に設けられた内側のカメラであり、通常はアウトカメラ２０３ｂより解像度が低いサブカメラの位置付けである。アウトカメラ２０３ｂは、後述するタッチスクリーン２１３の反対側に設けられた外側のカメラであり、通常はアウトカメラ２０３ｂより解像度が高いメインカメラの位置付けである。【０１０７】
ＧＰＳ制御部２０４は、ＧＰＳ用アンテナ２０５を介して、複数のＧＰＳから信号を受信し、第１ユーザ端末２０の位置を調べる。こうして求められた位置情報は、位置情報６として情報管理サーバ５０に送信される。【０１０８】
無線信号処理部２０６は、無線通信用アンテナ２０７を介して携帯電話基地局と通信を行い、他の機器との間での通話データの送受信や、（インターネットを介した）他端末との間でのＷＥＢページ表示用データやメールデータの送受信を制御する。また、無線信号処理部２０６は、無線通信用アンテナ２０７を用いて無線ＬＡＮアクセスポイントとの間で無線ＬＡＮによる通信を実現し、インターネット経由のデータ送受信を行う（ここでは、便宜上、無線信号処理部２０６と無線通信用アンテナ２０７が、携帯電話基地局との間の無線通信及び無線ＬＡＮアクセスポイントとの間の無線通信を行うものとした）。【０１０９】
オーディオ制御部２０８は、マイクロフォン２０９とスピーカ２１０を制御して無線通信による通話を実現し、一方で、アプリケーションにおいて動画や音楽を再生する場合に、音声を出力するよう制御する。【０１１０】
タッチスクリーン２１３は、例えば、ＬＣＤ（Liquid  Crystal  Display）などで構成される表示装置で情報を表示するとともに、ユーザが指などで画面表面をタッチした（押した）位置を、抵抗膜方式や静電容量方式などのタッチセンサーで検知する。ディスプレイ制御部２１１は、ＣＰＵ２０１が発行する描画データを処理して、例えば、ＷＥＢページや動画等を、タッチスクリーン２１３の表示装置に出力する。入力機器インタフェース２１２は、タッチスクリーン２１３のタッチセンサーが、ユーザによる操作を検知し、これを所定の信号としてＣＰＵ２０１に送信する。【０１１１】
非接触ＩＣリーダ／ライタ２１４は、非接触ＩＣチップや非接触ＩＣチップが埋め込まれたカードが第１ユーザ端末２０の所定の位置にかざされた場合に、ＣＰＵ２０１の指令に基づいて、そのＩＣチップに記憶されているデータを読み取り、又は、ＩＣチップに所定のデータを書き込む。【０１１２】
センサー２１５は、タッチスクリーン２１３のタッチセンサー以外のセンサーであり、モーションセンサー、光センサー、近接センサーなどがある。【０１１３】
補助記憶装置２１６は、例えば、フラッシュメモリと呼ばれる半導体メモリやハードディスクで構成される。補助記憶装置２１６は、ＣＰＵ２０１で実行される各機能を実現するためのプログラムを記憶するほか、各種データを記憶する。【０１１４】
外部記録媒体インタフェース２１７は、外部記録媒体２２０にアクセスして、そこに記録されているデータを読み取る。外部記録媒体２２０は、例えば、可搬型のフラッシュメモリである。ＣＰＵ２０１で実行され本発明の各機能を実現するためのプログラムは、この外部記録媒体インタフェース２１７や、前述したような、無線信号処理部２０６及び無線通信用アンテナ２０７を介した携帯電話網やネットワークを経由して第１ユーザ端末２０に提供される。【０１１５】
図５は、スマートフォンが第１ユーザ端末２０として用いられた場合の構成を示しているが、例えば、携帯電話等が第１ユーザ端末２０として用いられた場合、これらがタッチスクリーンを備えていなければ、ディスプレイ制御部２１１には、ＬＣＤ等からなる表示装置が接続され、入力機器インタフェース２１２にはボタン等が接続される。【０１１６】
なお、第２ユーザ端末３０も、図６に示した構成と同様のスマートフォンとすることができる。【０１１７】
また、第２ユーザ端末３０として、一般的なデスクトップパソコンが用いられた場合、外部ネットワークに接続するためのネットワークインタフェースが追加され、ディスプレイ制御部２１１には、ＬＣＤ等からなる組み込み型又は別筐体の表示装置が接続され、入力機器インタフェース２１２には、キーボードやマウスが接続される。また、対象２のコード３を読み取るためのカメラやスキャナが接続される。【０１１８】
次に、図７を参照して、情報管理サーバ５０のハードウエア構成の例について説明する。ただし、図７の情報管理サーバ５０は、一般的なサーバコンピュータについての代表的な構成を例示したにすぎない。他の様々なコンピュータを情報管理サーバ５０として利用することができる。【０１１９】
情報管理サーバ５０は、ＣＰＵ４０１、メモリ４０２、ネットワークインタフェース４０３、ディスプレイコントローラ４０４、ディスプレイ４０５、入力機器インタフェース４０６、キーボード４０７、マウス４０８、外部記憶装置４０９、及び外部記録媒体駆動装置４１０を含んでいる。【０１２０】
ＣＰＵ４０１は、情報管理サーバ５０の各構成要素の動作を制御し、ＯＳの制御下で、各機能を実行する。【０１２１】
メモリ４０２は通常、不揮発性メモリであるＲＯＭ（Read  Only  Memory）、及び揮発性メモリであるＲＡＭ（Random  Access  Memory）から構成される。ＲＯＭには、情報管理サーバ５０の起動時に実行されるプログラム等が格納される。ＲＡＭには、ＣＰＵ４０１で実行されるプログラムや、それらのプログラムが実行中に使用するデータ等が一時的に格納される。【０１２２】
ネットワークインタフェース４０３は、ネットワーク４２０に接続するためのインタフェースである。ネットワーク４２０は、例えば、無線通信ネットワーク、及びインターネットを含むネットワークである。【０１２３】
ディスプレイコントローラ４０４は、ＣＰＵ４０１が発行する描画命令を実際に処理するための専用コントローラである。ディスプレイコントローラ４０４で処理された描画データは、一旦グラフィックメモリに書き込まれ、その後、ディスプレイ４０５に出力される。ディスプレイ４０５は、例えば、ＬＣＤ（Liquid  Crystal  Display）で構成される表示装置である。【０１２４】
入力機器インタフェース４０６は、キーボード４０７やマウス４０８から入力された信号を受信して、その信号パターンに応じて所定の指令をＣＰＵ４０１に送信する。【０１２５】
外部記憶装置４０９は、例えば、ハードディスクドライブ（ＨＤＤ）のような記憶装置であり、この装置内には上述したプログラムやデータが記録され、実行時に、必要に応じてそこからメモリ４０２のＲＡＭにロードされる。【０１２６】
外部記録媒体駆動装置４１０は、ＣＤ（Compact  Disc）、ＤＶＤ（Digital  Versatile  Disc）などの可搬型の外部記録媒体４３０の記録面にアクセスして、そこに記録されているデータを読み取る装置である。外部記録媒体４３０には、本発明に係る情報管理方法を実現するためのプログラムも記録することが可能である。外部記録媒体４３０に記録されているデータは、外部記録媒体駆動装置４１０を介して外部記憶装置４０９に格納され、プログラムであれば、実行時にメモリ４０２のＲＡＭにロードされる。【０１２７】
なお、情報管理サーバ５０では、管理者等による操作の必要がない場合や、リモート接続によって操作される場合は、上述したディスプレイコントローラ４０４、ディスプレイ４０５、入力機器インタフェース４０６、キーボード４０７、及びマウス４０８は不要である。【０１２８】
次に、図８の機能ブロック図を参照して、本発明の第１実施形態に係る第１ユーザ端末２０の機能の概要について説明する。図８に示すように、第１ユーザ端末２０は、撮像制御部２５１、デコード部２５２、位置情報取得部２５３、サーバアクセス制御部２５４、画像再生制御部２５５、位置情報表示制御部２５６、コミュニケーション制御部２５７、適性度表示制御部２５８、利用履歴表示制御部２５９、組合せ情報表示制御部２６０、身元特定情報表示制御部２６１、利用実績情報登録制御部２６２、入出力制御部２６３、及びネットワークインタフェース（Ｉ／Ｆ）部２６４を含んでいる。【０１２９】
撮像制御部２５１は、第１ユーザによる操作に基づいて、図６に示す第１ユーザ端末２０のインカメラ２０３ａやアウトカメラ２０３ｂを制御して、対象２のコード３を読み取る。【０１３０】
デコード部２５２は、撮像制御部２５１によりインカメラ２０３ａやアウトカメラ２０３ｂで撮影されたコード３の画像を受信し、所定の一般的なデコードロジックにより、コード３の画像から、テキスト列であるコードデータ５を取り出す。この例では、コード３はＱＲコード（登録商標）であり、デコードロジックにより、終端識別コードが現れるまでのデータから、ＵＲＬを含むテキスト列が抽出される。【０１３１】
位置情報取得部２５３は、図６に示すＧＰＳ制御部２０４により、第１ユーザ端末２０の現在位置を示す位置情報６を取得する。このようにして取得される位置情報６は、例えば、北緯35°32'5''、東経133°52'21''といったデータを含んでいる。【０１３２】
サーバアクセス制御部２５４は、デコード部２５２により取得されたＵＲＬを含むテキスト列に基づいて、ＷＥＢサーバとして機能する情報管理サーバ５０にアクセスし、コードデータ５の内容を情報管理サーバ５０に伝えるよう制御する。また、このときに、第１ユーザ等を識別するユーザ識別情報８も情報管理サーバ５０に送信される場合がある。【０１３３】
さらに、サーバアクセス制御部２５４は、位置情報６の使用を許可するといった第１ユーザの指示操作に基づいて、位置情報６を情報管理サーバ５０に送信する際に、情報管理サーバ５０にアクセスするよう制御する。【０１３４】
画像再生制御部２５５は、情報管理サーバ５０から、第１ユーザ提供情報９として、第２ユーザにより提供された写真・動画や、第３ユーザにより提供された動画等を受信した場合に、これらの画像を、第１ユーザの操作に応じて再生（タッチスクリーン２１３、スピーカ２１０へのデータ出力）するよう制御する。【０１３５】
位置情報表示制御部２５６は、情報管理サーバ５０から、第１ユーザ提供情報９として、（交番や警察署の）位置情報等を受信した場合に、それらの位置情報に基づいたマップ表示をタッチスクリーン２１３に表示するよう制御する。【０１３６】
コミュニケーション制御部２５７は、第２ユーザ端末３０から、情報管理サーバ５０を介してチャットや音声通話のリクエストがあった場合に、第２ユーザ端末３０との間のチャットや音声通話を、情報管理サーバ５０経由で制御する。【０１３７】
適性度表示制御部２５８は、情報管理サーバ５０から、第１ユーザ提供情報９として、衣服等の適性度情報を受信した場合に、その適性度に関する情報をタッチスクリーン２１３に表示するよう制御する。【０１３８】
利用履歴表示制御部２５９は、情報管理サーバ５０から、第１ユーザ提供情報９として、衣服等の利用履歴情報を受信した場合に、その利用履歴に関する情報をタッチスクリーン２１３に表示するよう制御する。【０１３９】
組合せ情報表示制御部２６０は、情報管理サーバ５０から、第１ユーザ提供情報９として、衣服等の組合せ情報を受信した場合に、その組合せ情報をタッチスクリーン２１３に表示するよう制御する。【０１４０】
身元特定情報表示制御部２６１は、情報管理サーバ５０から、第１ユーザ提供情報９として、第２ユーザにより提供された身元特定情報を受信した場合に、その身元特定情報をタッチスクリーン２１３に表示するよう制御する。【０１４１】
利用実績情報登録制御部２６２は、第１ユーザから入力された利用実績情報７を、情報管理サーバ５０に送信するよう制御する。【０１４２】
入出力制御部２６３は、図６に示すタッチスクリーン２１３、及び入力機器インタフェース２１２を介して得られる第１ユーザの操作に係る信号をＣＰＵ２０１に送信するとともに、ＣＰＵ２０１の指令に基づいて、画像再生や位置情報等の表示に係る画面等を、ディスプレイ制御部２１１を介してタッチスクリーン２１３に表示するよう制御する。【０１４３】
ネットワークＩ／Ｆ部２６４は、図６に示す無線信号処理部２０６等を制御して、情報管理サーバ５０との間のデータ送受信を実現する。【０１４４】
基本的に、上述した撮像制御部２５１、及びデコード部２５２は、第１ユーザ端末２０にインストールされた、一般的な２次元コード読み取りアプリケーションによって実行される。また、入出力制御部２６３やネットワークＩ／Ｆ部２６４は、第１ユーザ端末２０のＯＳの基本機能であり、残りの機能部は、ＷＥＢブラウザ（ＨＴＭＬソースやＪａｖａＳｃｒｉｐｔ（登録商標）を利用したものも含む）などの汎用アプリケーションによって実行される。【０１４５】
また、上述した第１ユーザ端末２０の機能の少なくとも一部を、所定のサーバから第１ユーザ端末２０にダウンロードしてインストールした、専用アプリケーションによって実現することもできる。【０１４６】
次に、図９の機能ブロック図を参照して、本発明の第１実施形態に係る第２ユーザ端末３０の機能の概要について説明する。図９に示すように、第２ユーザ端末３０は、撮像制御部３５１、デコード部３５２、サーバアクセス制御部３５３、捜索情報登録制御部３５４、身元特定情報登録制御部３５５、位置情報表示制御部３５６、コミュニケーション制御部３５７、入出力制御部３５８、及びネットワークインタフェース（Ｉ／Ｆ）部３５９を含んでいる。【０１４７】
撮像制御部３５１は、第２ユーザによる操作に基づいて、第２ユーザ端末３０のインカメラやアウトカメラを制御して、対象２のコード３を読み取る。【０１４８】
デコード部３５２は、撮像制御部３５１によりインカメラ等で撮影されたコード３の画像を受信し、所定の一般的なデコードロジックにより、コード３の画像から、テキスト列であるコードデータ５を取り出す。この例では、コード３はＱＲコード（登録商標）であり、デコードロジックにより、終端識別コードが現れるまでのデータから、ＵＲＬを含むテキスト列が抽出される。【０１４９】
サーバアクセス制御部３５３は、所定のＩＰアドレスによりＷＥＢサーバとして機能する情報管理サーバ５０にアクセスし、コードデータ５の内容を情報管理サーバ５０に伝えるよう制御する。【０１５０】
さらに、サーバアクセス制御部３５３は、第２ユーザが登録データ１１を情報管理サーバ５０に送信する際に、情報管理サーバ５０にアクセスするよう制御する。【０１５１】
捜索情報登録制御部３５４は、第２ユーザが、捜索フラグや平常時コンテンツの設定を行うための画面を第２ユーザ端末３０のタッチパネル上に表示し、第２ユーザの設定指示に応じて、これらの設定を情報管理サーバ５０に送信するよう制御する。【０１５２】
身元特定情報登録制御部３５５は、第２ユーザが、身元特定情報を入力するための画面を第２ユーザ端末３０のタッチパネル上に表示し、第２ユーザの設定指示に応じて、この情報を情報管理サーバ５０に送信するよう制御する。【０１５３】
位置情報表示制御部３５６は、情報管理サーバ５０から、第２ユーザ提供情報１２として、（逸失物や徘徊者・迷子の）位置情報等を受信した場合に、それらの位置情報に基づいたマップ表示を第２ユーザ端末３０のタッチスクリーンに表示するよう制御する。【０１５４】
コミュニケーション制御部３５７は、第２ユーザから、チャットや音声通話のリクエストがあった場合に、第１ユーザ端末２０との間のチャットや音声通話を、情報管理サーバ５０経由で制御する。【０１５５】
入出力制御部３５８、及びネットワークＩ／Ｆ部３５９は、それぞれ第１ユーザ端末２０の入出力制御部２６３、及びネットワークＩ／Ｆ部２６４と同様の機能であるため、説明を省略する。【０１５６】
また、上述した撮像制御部３５１ないしコミュニケーション制御部３５７の機能は、基本的には、所定のサーバから第２ユーザ端末３０にダウンロードしてインストールした、専用アプリケーションによって実現される。【０１５７】
次に、図１０の機能ブロック図を参照して、本発明の第１実施形態に係る第３ユーザ端末４０の機能の概要について説明する。図１０に示すように、第３ユーザ端末４０は、コンテンツ登録制御部４５１、組合せ情報登録制御部４５２、入出力制御部４５３、及びネットワークインタフェース（Ｉ／Ｆ）部４５４を含んでいる。【０１５８】
コンテンツ登録制御部４５１は、第３ユーザが、第１ユーザ端末２０に表示するためのコンテンツデータ１３を登録するための画面を第３ユーザ端末４０のタッチパネル上に表示し、第３ユーザの登録指示に応じて、コンテンツデータ１３を情報管理サーバ５０に送信するよう制御する。【０１５９】
組合せ情報登録制御部４５２は、第３ユーザが、第１ユーザ端末２０に表示するための組合せ情報を求めるために参照される組合せ情報１４を登録するための画面を第３ユーザ端末４０のタッチパネル上に表示し、第３ユーザの登録指示に応じて、組合せ情報１４を情報管理サーバ５０に送信するよう制御する。【０１６０】
入出力制御部４５３、及びネットワークＩ／Ｆ部４５４は、それぞれ第１ユーザ端末２０の入出力制御部２６３、及びネットワークＩ／Ｆ部２６４と同様の機能であるため、説明を省略する。【０１６１】
次に、図１１の機能ブロック図を参照して、本発明の第１実施形態に係る情報管理サーバ５０の機能の概要について説明する。図１１に示すように、情報管理サーバ５０は、第１ユーザ端末アクセス管理部５５１、画像再生管理部５５２、逸失物等管理部５５３、適性度管理部５５４、利用情報管理部５５５、組合せ作成部５５６、身元特定情報管理部５５７、コミュニケーション管理部５５８、第２ユーザ端末アクセス管理部５５９、第３ユーザ端末アクセス管理部５６０、ポイント管理部５６１、及びネットワークインタフェース（Ｉ／Ｆ）部５６２を含んでいる。【０１６２】
また、情報管理サーバ５０は、外部記憶装置５７０（図７の外部記憶装置４０９に対応）に、コード情報管理テーブル５７１、登録情報管理テーブル５７２、コンテンツデータ５７３、マップ情報テーブル５７４、衣服特性情報テーブル５７５、利用履歴管理テーブル５７６、組合せ情報テーブル５７８、衣服情報テーブル５７９、身元特定情報テーブル５８０、ユーザ情報テーブル５８１、位置情報テーブル５８２、及びポイント管理テーブル５８３を記憶する。【０１６３】
第１ユーザ端末アクセス管理部５５１は、ＷＥＢサーバの機能を含む。第１ユーザ端末２０からＨＴＴＰリクエスト等を受信すると、指定されたＵＲＬのパラメータ等からコードデータ５を取り出し、例えば、以下の逸失物等管理部５５３等により第１ユーザ端末２０に画面を表示するためのＷＥＢページ表示用データが生成された場合に、ＨＴＴＰレスポンス等により当該ＷＥＢページ表示用データや関連する画像データ等を、第１ユーザ提供情報９として第１ユーザ端末２０に送信する。【０１６４】
画像再生管理部５５２は、第１ユーザ端末２０から、第２ユーザにより設定された平常時コンテンツの再生指示を受信した場合に、コンテンツデータ５７３にアクセスして必要なデータを第１ユーザ端末２０に送信して、第１ユーザ端末２０における画像再生を実現する。【０１６５】
逸失物等管理部５５３は、第１ユーザ端末２０から受信したコードデータ５と同じデータ（又はこれに対応するデータ）が、事前に第２ユーザにより登録情報管理テーブル５７２に登録されている場合に、位置情報６の送信を許可するか否かを確認する画面を第１ユーザ端末２０に表示させるためのＷＥＢページ表示用データや、平常時コンテンツを再生する画面を第１ユーザ端末２０に表示させるためのＷＥＢページ表示用データを生成するよう制御する。【０１６６】
また、逸失物等管理部５５３は、第１ユーザ端末２０から位置情報６を受信した場合に、これをコードデータ５とともにコード情報管理テーブル５７１に記憶し、第２ユーザ端末３０からの指示に応じて、第２ユーザが登録した対象２を一覧表示するユーザ画面を第２ユーザ端末３０に表示させるための表示用データや、指定された対象２に関する位置情報６を表示する捜索画面を第２ユーザ端末３０に表示させるための表示用データを生成するよう制御する。【０１６７】
適性度管理部５５４は、第１ユーザ端末２０から位置情報６を受信し、第１ユーザ端末２０から受信したコードデータ５に対応する衣服等の着用が、その日の天気等に適している度合いを、気象情報（位置情報６における地方の天気、気温等）、及び衣服特性情報テーブル５７５から算出し、こうして算出した適性度を第１ユーザ端末２０に表示させるためのＷＥＢページ表示用データを生成するよう制御する。【０１６８】
利用情報管理部５５５は、第１ユーザ端末２０から、コードデータ５に対応する衣服等に関する第１ユーザの利用実績を受信し、これを利用履歴管理テーブル５７６に記憶する。また、第１ユーザの操作に応じて、対応する衣服等についての利用履歴を編集し、こうして編集した利用履歴を、第１ユーザ端末２０に表示させるためのＷＥＢページ表示用データを生成するよう制御する。【０１６９】
組合せ作成部５５６は、第１ユーザの操作に応じて、コードデータ５に対応する衣服等（対象２）についてお勧めの組合せを作成し、こうして作成した、対象２を含む衣服等の組合せを、第１ユーザ端末２０に表示させるためのＷＥＢページ表示用データを生成するよう制御する。このような組合せは、例えば、コードデータ５に対応する衣服等（対象２）と、第３ユーザから提供された組合せ情報テーブル５７８、衣服情報テーブル５７９を参照して、この対象２の衣服等を選択した場合に、他の衣服等をどのように組合せるのが適切かを求める。【０１７０】
身元特定情報管理部５５７は、第１ユーザの操作に応じ、第１ユーザ端末２０から受信したユーザ識別情報８とユーザ情報テーブル５８１（不図示）を用いて第１ユーザの本人認証を行い、第１ユーザ端末２０から受信した位置情報６と位置情報テーブル５８２を用いて位置認証を行い、これらの認証がＯＫであれば、コードデータ５に対応付けられている患者の身元特定情報を第１ユーザ端末２０に表示させるためのＷＥＢページ表示用データを生成するよう制御する。身元特定情報は、登録情報管理テーブル５７２と身元特定情報テーブル５８０を参照して取得する。【０１７１】
コミュニケーション管理部５５８は、第２ユーザの操作により、第２ユーザ端末３０から、チャットや音声通話のリクエストがあった場合に、指定された第１ユーザの第１ユーザ端末２０との間で、チャットや音声通話ができるよう制御・管理する。【０１７２】
第２ユーザ端末アクセス管理部５５９は、第２ユーザ端末３０から捜索情報に関する登録リクエスト等を受信すると、受信したデータに基づいて登録情報管理テーブル５７２を更新する。また、第２ユーザ端末３０から身元特定情報に関する登録リクエスト等を受信すると、受信したデータに基づいて登録情報管理テーブル５７２と身元特定情報テーブル５８０を更新する。【０１７３】
また、第２ユーザ端末アクセス管理部５５９は、逸失物等管理部５５３で生成された、ユーザ画面や（第１ユーザ端末２０から送信された位置情報６を含んだ）捜索画面を表示するための表示用データ等を、第２ユーザ端末３０からの要求に基づいて生成し、第２ユーザ端末３０に送信する。【０１７４】
第３ユーザ端末アクセス管理部５６０は、第３ユーザ端末４０からコンテンツデータに関する登録リクエスト等を受信すると、受信したコンテンツデータをコンテンツデータ５７３として記憶する。また、第３ユーザ端末４０から組合せ情報に関する登録リクエスト等を受信すると、受信したデータに基づいて組合せ情報テーブル５７８を更新する。【０１７５】
ポイント管理部５６１は、第１ユーザが逸失物や徘徊者・迷子を発見した際の操作により、第１ユーザ端末２０からコードデータ５等が送信された場合に、その第１ユーザに所定のポイントを付与し、そのポイント数をポイント管理テーブル５８３で管理する。第１ユーザに付与するポイントは、例えば、第２ユーザによる捜索が成功した場合等、結果に応じて調整される。このようなポイントは、第１ユーザの利益となるものであって、他のポイントに交換できたり、所定の商品・サービスへの交換が可能なポイントである。【０１７６】
また、共謀してポイントを獲得する行為を防止するため、第１ユーザと第２ユーザが２回以上同じ組合せとなった場合は、２回目以降のポイント付与を行わないようにすることができる。【０１７７】
ネットワークインタフェース（Ｉ／Ｆ）部５６２は、第１ユーザ端末２０のネットワークＩ／Ｆ部２６４と同様の機能であるため、説明を省略する。【０１７８】
次に、図１２ないし図１５を参照して、本実施形態の情報管理システム１で使用されるテーブル、データの概要を説明する。【０１７９】
図１２Ａに示すコード情報管理テーブル５７１は、コードデータ５、位置情報６／機関、デバイスＩＤ、日時、及び連絡先／メディアを含む。ここで、デバイスＩＤは、第１ユーザ端末２０を識別するためのＩＤであるが、他の識別子を用いてもよい。【０１８０】
図１２Ｂに示す登録情報管理テーブル５７２は、コードデータ５、ユーザＩＤ、捜索フラグ、平常時コンテンツ、捜索対象映像、及び身元情報コードを含む。ここで、ゆーざユーザＩＤは、第２ユーザを識別するためのＩＤであるが、第２ユーザ端末３０のデバイスＩＤ等、他の識別子を用いてもよい。【０１８１】
図１３Ａに示す衣服特性情報テーブル５７５は、コードデータ５、及び特性指標を含む。図１３Ｂに示す利用履歴管理テーブル５７６は、コードデータ５、デバイスＩＤ、日付、場所、及び相手を含む。ここで、デバイスＩＤは、上記と同様、第１ユーザ端末２０を識別するためのＩＤである。【０１８２】
図１４Ａに示す組合せ情報テーブル５７８は、組合せＮＯ、及びコードＡないしコードＥを含む。図１４Ｂに示す衣服情報テーブル５７９は、コードデータ５、種別、メーカ、季節、年度、色、及び価格を含む。図１４Ｃに示す身元特定情報テーブル５８０は、身元情報コード、氏名、住所、年令、性別、血液型、及び電話番号を含む。【０１８３】
図１５Ａに示すユーザ情報テーブル５８１は、デバイスＩＤ、及び機関を含む。ここで、デバイスＩＤは、上記と同様、第１ユーザ端末２０を識別するためのＩＤであるが、デバイスＩＤの代わりにユーザＩＤ等を使用してもよい。また、このほか、第１ユーザが身元特定情報のどの部分を参照可能であるかや、処理の権限等についての項目を含むようにもできる。【０１８４】
図１５Ｂに示す位置情報テーブル５８２は、機関、位置情報Ａ、及び位置情報Ｂを含む。ここで、デバイスＩＤは、上記と同様、第１ユーザ端末２０を識別するためのＩＤである。位置情報Ａと位置情報Ｂで、認証可能な位置の範囲（２次元領域）が定義されている。【０１８５】
コンテンツデータ５７３は、図示しないが、第３ユーザ等から提供されたコンテンツデータ１３等である。マップ情報テーブル５７４は、図示しないが、マップ表示を行うために使用される地図情報を含む。ポイント管理テーブル５８３は、図示しないが、第１ユーザ端末のデバイスＩＤごとに、獲得したポイント数を記憶し、ポイントを消費した場合は、そのポイント数から減算される。【０１８６】
次に、図１６ないし図２９を参照して、本実施形態に係る情報管理システム１において、逸失物の情報管理や、徘徊者・迷子の情報管理を行う場合の処理フロー、及び画面について説明する。【０１８７】
図１６、及び図１７は、第１ユーザが逸失物や徘徊者・迷子を発見した場合に、第１ユーザ端末２０を操作して情報管理サーバ５０に情報を提供する処理フローを示している。【０１８８】
最初に、ステップＳ１１において、第１ユーザが、第１ユーザ端末２０を操作して、発見した対象２のコード３を第１ユーザ端末２０のカメラで読み取る。この処理は、例えば、図２１に示すコード読取画面６００の撮像範囲６０１に被写体であるコード３を表示させることによって行われる。【０１８９】
その後、ステップＳ１２において、第１ユーザ端末２０は、撮影した画像に基づいてデコード処理を行い、ＵＲＬを求める。このとき、ＵＲＬパラメータには、コード３から求められたコードデータ５が含まれ、このコードデータ５によって対象２がユニークに識別される。【０１９０】
次に、第１ユーザ端末２０は、ステップＳ１３において、ＵＲＬによりサーバにアクセスを行う（ＨＴＴＰリクエスト）。ＵＲＬを指定したアクセスにより、情報管理サーバ５０にコードデータ５が送信されることになる。このようなＵＲＬによる情報管理サーバ５０へのアクセスは、コード３の読み取りから自動的に行われる場合もあるし、第１ユーザによって起動するＷＥＢブラウザを設定する等の処理を経由して行われる場合もある。【０１９１】
ステップＳ１４において、情報管理サーバ５０は、第１ユーザ端末２０からアクセスされると、ＵＲＬパラメータのコードデータ５に基づいて、登録情報管理テーブル５７２を参照し、同じ又は対応するコードデータ５が存在するか否かを判定する。【０１９２】
コードデータ５が存在しない場合（ステップＳ１５のＮＯ）、第１ユーザ端末２０に、対応するコードが無いことを示す所定のレスポンスを送信し、第１ユーザ端末２０はこれを受信し表示する（ステップＳ１６）。また、このとき、所定のコンテンツデータを送信させるなどしてもよい。【０１９３】
コードデータ５が存在する場合（ステップＳ１５のＹＥＳ）、ステップＳ１７で、登録情報管理テーブル５７２の捜索フラグがオンか否かが判定され、捜索フラグがオン（すなわち、捜索フラグの値が「１」）である場合（ステップＳ１７のＹＥＳ）、ステップＳ１８に進み、そこで、第１ユーザ端末２０に情報提供画面を表示させるためのＷＥＢページ表示用データを生成し、第１ユーザ端末２０にＨＴＴＰレスポンスとして送信する。【０１９４】
第１ユーザ端末２０は、このＨＴＴＰレスポンスに応じて、図２２Ａに示すような情報提供画面６１０を表示する（ステップＳ１９）。情報提供画面６１０には、位置情報の提供を許可するか否かを指定する位置情報提供指定エリア６１１、第１ユーザの連絡先（ＮＯ／ＩＤと連絡方法）を指定する連絡先指定エリア６１２、及びこれらの指示内容の送信を指示する送信指示ボタン６１４が配置されている。また、捜索対象映像確認ボタン６１３を選択することにより、第２ユーザが提供し、登録情報管理テーブル５７２に記憶されている捜索対象映像を確認することもできる。【０１９５】
また、図２２Ａの情報提供画面６１０において、交番・警察署の位置を表すマップ表示を表示させるよう要求したり、警察署に通知するための音声通話用のＩＤやリンクを表示させるよう要求するためのボタンを表示するよう構成することもできる。【０１９６】
ステップＳ２０において、第１ユーザが、位置情報提供指定エリア６１１で位置情報の提供を許可したか否かが判定され、位置情報の提供が許可されている場合（ステップＳ２０のＹＥＳ）、ステップＳ２１において、第１ユーザ端末２０の位置情報が取得される。位置情報の提供が許可されていない場合（ステップＳ２０のＮＯ）、又はステップＳ２１の後、ステップＳ２２に進み、そこで、第１ユーザの他の入力（すなわち、連絡先指定エリア６１２の入力）を取得し、ステップＳ２３において、送信指示ボタン６１４が選択された場合（ステップＳ２３のＹＥＳ）、ステップＳ２４において、ＨＴＴＰプロトコルにより位置情報６や指示内容を情報管理サーバ５０に送信する（ＨＴＴＰリクエスト）。【０１９７】
情報管理サーバ５０は、第１ユーザ端末２０から指示内容を受信すると、取得した情報等（コードデータ５、位置情報６、デバイスＩＤ、日時、連絡先情報）をコード情報管理テーブル５７１に記憶する（ステップＳ２５）。【０１９８】
一方、ステップＳ１７の判定で捜索フラグがオフ（すなわち、捜索フラグの値が「０」）である場合（ステップＳ１７のＮＯ）、図１７のステップＳ４１に進み、そこで、登録情報管理テーブル５７２を参照し、取得したコードデータ５に対応する平常時コンテンツのコンテンツ名を取得し、ステップＳ４２において、この平常時コンテンツを再生するコンテンツ再生用画面を表示させるためのＷＥＢページ表示用データを生成し、第１ユーザ端末２０にＨＴＴＰレスポンスとして送信する。【０１９９】
第１ユーザ端末２０は、このＨＴＴＰレスポンスに応じて、図２２Ｂに示すようなコンテンツ再生画面６２０を表示する（ステップＳ４３）。コンテンツ再生画面６２０には、コンテンツを表示するコンテンツ表示エリア６２１、再生開始ボタン６２２、再生停止ボタン６２３、及び一時停止ボタン６２４が配置されている。【０２００】
ステップＳ４４において、再生開始ボタン６２２が選択されるか否かが判定され、再生開始ボタン６２２が選択された場合（ステップＳ４４のＹＥＳ）、第１ユーザ端末２０のＷＥＢブラウザは、ステップＳ４５において、情報管理サーバ５０のコンテンツデータ５７３の対応するコンテンツ名にアクセスし、必要に応じたタイミングで当該コンテンツデータを取得し、コンテンツ表示エリア６２１で再生を行うよう制御する。【０２０１】
また、捜索対象映像確認ボタン６１３を選択することにより、第２ユーザが提供し、登録情報管理テーブル５７２に記憶されている捜索対象映像を確認することもできる。【０２０２】
図１８、及び図１９は、第２ユーザが逸失物や徘徊者・迷子を登録・発見するための関連処理フローを示している。【０２０３】
最初に、ステップＳ６１において、第２ユーザが、第２ユーザ端末３０を操作して、ユーザＩＤとパスワードを用いて情報管理システム１にログインする。この例では、第２ユーザは、事前にユーザ登録を行ってユーザＩＤを取得し、そのユーザＩＤで情報管理システム１にログインするようにしているが、デバイスＩＤ等で第２ユーザ端末３０をユニークに管理し、ユーザ登録等の操作なしに、情報管理システム１を利用するようにもできる。【０２０４】
ステップＳ６２において、第２ユーザからユーザＩＤ、パスワードを受信した情報管理サーバ５０は、ユーザ管理テーブル（不図示）によりユーザ認証を行った後、登録情報管理テーブル５７２を参照して、ログインしたユーザＩＤに対応する登録情報を把握し、コード情報管理テーブル５７１に、登録情報のコードデータ５に対応する発見情報が記憶されていた場合、これを取得する。【０２０５】
次に、情報管理サーバ５０は、ステップＳ６３において、ユーザ画面データを生成し、第２ユーザ端末３０に送信する。このユーザ画面データは、ステップＳ６２で、既に登録されている対象２が存在していれば、その対象２に関する情報を含むように構成され、さらに、登録している対象２に関する発見情報があれば、その発見情報を含むように構成される。【０２０６】
第２ユーザ端末３０は、情報管理サーバ５０からユーザ画面データを受信すると、図２３に示すようなユーザ画面を表示する（ステップＳ６４）。ユーザ画面６３０には、右上にユーザＩＤ（「Ｕ００１」）が表示され、その下に、対象一覧表示エリア６３１、及び新規登録ボタン６３３が配置されている。【０２０７】
対象一覧表示エリア６３１には、コードデータ５、発見情報の件数、捜索フラグ、及び変更ボタンが、対象２のそれぞれについて表示されている。また、コードデータ５の表示部分は下線が付されており、この部分は、選択すると他の画面に遷移するリンク表示となっている。【０２０８】
ステップＳ６５において、第２ユーザが新規登録ボタン６３３を選択するか否かが判定され、新規登録ボタン６３３が選択されると（ステップＳ６５のＹＥＳ）、ステップＳ６６において、第２ユーザの操作により、対象２のコード３を読み取る。これは、例えば、第２ユーザ端末３０に、図２４に示すようなコード読取画面６４０が表示され、コード読取画面６４０の撮像範囲６４１に被写体であるコード３を表示させることによって行われる。【０２０９】
その後、第２ユーザ端末３０は、ステップＳ６７において、図２５に示すような登録画面６５０を表示する。登録画面６５０は、右上にユーザＩＤが表示され、その下に、読み取った対象２のコードデータ５が表示され、さらにその下に、登録情報入力エリア６５１、及び登録ボタン６５２が配置されている。登録情報入力エリア６５１には、さらに、捜索フラグ入力エリア、平常時コンテンツ指定エリア、及び捜索対象映像指定エリアが配置されている。【０２１０】
次に、第２ユーザ端末３０は、ステップＳ６８において、第２ユーザにより入力された登録情報を取得し、第２ユーザが登録ボタン６５２を選択して登録指示を行ったか否かを判定する（ステップＳ６９）。第２ユーザが登録指示を行った場合（ステップＳ６９のＹＥＳ）、ステップＳ７０において、取得した登録情報を情報管理サーバ５０に送信し、登録情報を受信した情報管理サーバ５０は、ステップＳ７１において、登録情報を登録情報管理テーブル５７２に記憶する。【０２１１】
この例では、第２ユーザが対象２に付けられたコード３を読み取って登録を行うものであり、これは、発見者である第１ユーザが読み取ったもの（対象２に付けられたコード３）と同じであるが、第２ユーザは、対象２からではなく、対象２の購入時に付けられていた下げ札や登録カードからコード３を読み取ってもよい。【０２１２】
また、対象２の購入時に付けられている下げ札や登録カードには、コード３に対応する別のコード３’が表記されており、第２ユーザは、このコード３’を読み取って登録を行ってもよい（なお、この場合は、コード３から取得されるコードデータ５とコード３’から取得されるコードデータ５’とを対応付けるコードデータ対応テーブル（不図示）が必要となる）。【０２１３】
また、さらに、下げ札や登録カードに表示された２次元コードに、専用アプリケーションでのみ読み取ることが可能な秘匿領域を設け、そこからコードデータ５’を読み取るようにすることもできる。【０２１４】
なお、図１８のフローチャートで示した、第２ユーザによる対象２の登録操作であるが、このような操作は、対象２の購入直後に行うこともできるし、対象２を無くした後や、徘徊者・迷子の存在が明らかになった後など、様々なタイミングで行うことができる。【０２１５】
ステップＳ６５において、第２ユーザが新規登録ボタン６３３を選択するか否かが判定され、新規登録ボタン６３３が選択されていない場合（ステップＳ６５のＮＯ）、処理は、図１９のステップＳ９１に進み、そこで、第２ユーザが捜索画面の選択を選択するか否かが判定される。捜索画面の選択は、例えば、図２３のユーザ画面６３０の対象一覧表示エリア６３１に表示されたコードデータ５のリンク表示を選択することによって行われる。【０２１６】
捜索画面の選択が行われたと判定されると（ステップＳ９１のＹＥＳ）、ステップＳ９２において、第２ユーザの選択の操作に応じて、捜索対象の対象２と特定する。例えば、図２３のユーザ画面６３０の例では、第２ユーザがリンク表示６３２を選択すると、コードデータ＝「００１０１」である対象２が捜索対象であると特定される。【０２１７】
次に、第２ユーザ端末３０は、ステップＳ９３において、捜索対象のコードデータ５を情報管理サーバ５０に送信する。コードデータ５を受信した情報管理サーバ５０は、ステップＳ９４において、受信したコードデータ５に基づいてコード情報管理テーブル５７１を参照し、同じ又は対応するコードデータ５を検索する。【０２１８】
コード情報管理テーブル５７１に、同じ又は対応するコードデータ５が存在していた場合、ステップＳ９５において、そのコードデータ５を特定し、コード情報管理テーブル５７１から取得した位置情報に基づいてマップ表示を生成する。また、このとき、マップ表示を生成するために、地図情報を含むマップ情報テーブル５７４を参照する。なお、コード情報管理テーブル５７１に、コードデータ５に対応するレコードが無い場合については処理を省略したが、例えば、「発見情報なし」といった画面やメッセージを第２ユーザ端末３０に送信し、第２ユーザ端末３０は、それを表示し、第２ユーザが指定した対象２について発見情報がないことを知らせる。【０２１９】
次に、ステップＳ９６において、特定したコードデータ５の発見情報について、発見者である第１ユーザの連絡先情報が存在するか否かを判定する。連絡先がある場合（ステップＳ９６のＹＥＳ）、ステップＳ９７において、連絡先情報に基づいて、連絡先リンク表示を生成する。例えば、連絡先情報に電話番号が記憶されていれば、「発見者と音声通話」というリンク表示を生成し、連絡先情報にＳＮＳや時限性チャットの指定があれば、「発見者とチャット」というリンク表示を生成する。【０２２０】
連絡先がない場合（ステップＳ９６のＮＯ）、又はステップＳ９７の後で、捜索画面データを生成し、第２ユーザ端末３０に送信する（ステップＳ９８）。捜索画面データは、ステップＳ９５で生成したマップ表示を含み、また、ステップＳ９７で連絡先リンク表示を生成した場合は、その生成された連絡先リンク表示も含む。【０２２１】
第２ユーザ端末３０は、ステップＳ９９において、情報管理サーバ５０から捜索画面データを受信すると、これに基づいて、図２６に示すような捜索画面６６０を表示する。捜索画面６６０は、右上にユーザＩＤ（「Ｕ００１」）が表示され、その下にコードデータ５、さらにその下に、マップ表示エリア６６１、詳細発見情報表示エリア６６３、及び音声通話リンク６６４が配置されている。また、マップ表示エリア６６１には、例えば、逸失物や徘徊者・迷子が発見された位置を示す矢印６６２が示されている。【０２２２】
ここで、第２ユーザ端末３０は、ステップＳ１００において、第２ユーザが音声通話リンク６６４を選択し、通話が指示されるか否かを判定し、通話が指示されると（ステップＳ１００のＹＥＳ）、この指示が情報管理サーバ５０に送信され、情報管理サーバ５０で、第２ユーザ端末と情報管理サーバ５０の間で、ＩＰ電話のセッションを生成する（ステップＳ１０１）。【０２２３】
次に、ステップＳ１０２において、連絡先情報に含まれる電話番号で第１ユーザを特定し、ゲートウエイ機能により、ＩＰ電話を携帯電話ネットワークを接続し、第１ユーザと第２ユーザを通話可能状態にする。【０２２４】
第２ユーザは、このような捜索画面６６０のマップ表示エリア６６１の表示により、逸失物等がどの時間にどの位置に存在したかを知ることができる。また、第２ユーザは、音声通話リンク６６４を選択することにより、第１ユーザとの通話を行うことができるため、第１ユーザ、第２ユーザとも、相手方の電話番号やその他の個人情報を知ることなく、最初のコミュニケーションを図ることができる。【０２２５】
図２７に示すユーザ画面６７０は、図２３に示すユーザ画面６３０とは別のケースを示している。ユーザ画面６７０は、ユーザ画面６３０と同様に、右上にユーザＩＤ（「Ｕ００２」）が表示され、その下に、対象一覧表示エリア６７１、及び新規登録ボタン６７３が配置されている。【０２２６】
対象一覧表示エリア６７１には、コードデータ５、発見情報の件数、捜索フラグ、及び変更ボタンが、１つの対象２のそれぞれについて表示されている。また、コードデータ５（「００１２２」）の表示部分は下線が付されており、この部分がリンク表示６７２となっている。ここで、このリンク表示６７２を選択すると、図２８Ａに示すような捜索画面６８０に遷移する。【０２２７】
図２８Ａの捜索画面６８０も、図２６の捜索画面６６０と同様であり、右上にユーザＩＤ（「Ｕ００２」）が表示され、その下にコードデータ５、さらにその下に、マップ表示エリア６８１、詳細発見情報表示エリア６８３、及び音声通話リンク６８４が配置されている。【０２２８】
マップ表示エリア６８１には、図２６の捜索画面６６０とは異なり、複数の発見情報が丸数字の１ないし４で表示されている（この例では、日時の順に１−＞４となっている）。これは、例えば、徘徊者・迷子が複数の発見者により発見された場合であって、それぞれの発見位置が上記の丸数字で示されている。【０２２９】
図２８Ａの捜索画面６８０では、丸数字の２（符号６８２）を第２ユーザが選択すると、詳細発見情報表示エリア６８３にその発見情報に関する詳細な情報が表示される。また、この発見情報に係る第１ユーザが、連絡先として電話番号を指定しているため、音声通話リンク６８４が示されている。【０２３０】
次に、図２８Ｂの捜索画面６８０を参照すると、第２ユーザが、丸数字の４（符号６８５）を選択しており、これに応じて、詳細発見情報表示エリア６８３にその発見情報に関する詳細な情報が表示される。また、この発見情報に係る第１ユーザが、連絡先として時限性チャットを指定しているため、チャットリンク６８６が示されている。【０２３１】
このように、第２ユーザは、マップ表示エリア６８１において、複数の発見情報が時間の経過とともに表示されているために、移動情報の推移が示され、結果的に、徘徊者や迷子の移動状況を効果的に把握することができる。【０２３２】
ここで、第２ユーザがチャットリンク６８６を選択すると、第２ユーザ端末３０と情報管理サーバ５０は、図２０に示すような処理フローとなる。【０２３３】
図２０は、図１９のステップＳ１００以降の処理を、第１ユーザと第２ユーザがチャットでコミュニケーションを行う別のケースに置き換えたものである。【０２３４】
第２ユーザ端末３０が、ステップＳ１２１において、対話の指示、すなわち、チャットリンク６８６が選択されたか否かを判定し、チャットリンク６８６が選択されると（ステップＳ１２１のＹＥＳ）、この指示が情報管理サーバ５０に送信され、情報管理サーバ５０で、最初に、ステップＳ１２２において、第１ユーザと第２ユーザとの間での対話が可能となる時限性チャットの設定を行う。【０２３５】
情報管理サーバ５０は、第１ユーザ端末２０が（発見情報を提供した後）そのまま情報管理サーバ５０とのセッションを保持している場合は、ＷＥＢブラウザ上にチャットのタイムラインが表示されるよう制御する。そのほか、再度ＷＥＢブラウザを起動させて所定のＵＲＬにアクセスさせたときに、ｃｏｏｋｉｅの情報等を利用してチャットを開始させるよう制御したり、専用アプリケーションを起動させて第１ユーザを特定し、チャットを開始させるよう制御することもできる。【０２３６】
この場合、第２ユーザ端末３０は、専用アプリケーションによってチャットリンク６８６を選択しているので、情報管理サーバ５０から、この専用アプリケーションを制御し、専用アプリケーションを用いてチャットができるよう、第１ユーザとのタイムラインを表示させる。【０２３７】
次に、ステップＳ１２５において、第１ユーザ端末や第２ユーザ端末からテキスト入力があった場合に、これらのテキスト入力を取得し、ステップＳ１２６において、取得したテキストに応じて時限性チャットのタイムラインを編集する。【０２３８】
次に、ステップＳ１２７において、第１ユーザ端末、及び第２ユーザ端末に対して、編集後のタイムラインを送信し、ステップＳ１２３に進む。【０２３９】
ステップＳ１２３では、チャットの開始から所定の時間が経過したか否かが判定され、所定の時間が経過した場合（ステップＳ１２３のＹＥＳ）、ステップＳ１２４で第１ユーザと第２ユーザとの間のチャットが終了される。所定の時間が経過していない場合（ステップＳ１２３のＮＯ）、ステップＳ１２５に進む。【０２４０】
このように、第１ユーザと第２ユーザは、チャットのようなテキスト交換システムを用いて情報を交換することができ、情報管理サーバ５０は、これらの情報交換を匿名で中継するため、第１ユーザ、第２ユーザとも、相手方の電話番号やその他の個人情報を知ることなく、最初のコミュニケーションを図ることができる。【０２４１】
また、情報管理サーバ５０は、第１ユーザが既存のＳＮＳの利用を指定した場合に、既存のＳＮＳでの第１ユーザのテキスト入力と第２ユーザのテキスト入力を中継することができ、この場合も、第１ユーザ、及び第２ユーザの匿名性を確保することができる。【０２４２】
なお、この例では、チャットのタイムラインは時限性であり、所定の時間を経過するとチャットが終了するようになっているが、この時間を無制限としたり、第１ユーザ、及び第２ユーザが延長を指示できるようにすることもできる。【０２４３】
図２９には、上述した時限性チャットの（第２ユーザに示される）チャット画面７５０が例示されている。チャット画面７５０は、右上にユーザＩＤ（「Ｕ００２」）が表示され、その下にコメント表示エリア（タイムライン）７５１、コメント入力エリア７５２、及び残り時間表示エリア７５３が配置されている。第２ユーザは、コメント入力エリア７５２に第１ユーザに対するコメントを入力すると、それがコメント表示エリア７５１に表示されるとともに、第１ユーザ端末２０のタイムラインに表示される。第１ユーザが第１ユーザ端末２０を操作して入力コメントも、例えば、発見者からのコメントとして、コメント表示エリア７５１に表示される。【０２４４】
次に、図３０ないし図３４を参照して、本実施形態に係る情報管理システム１において、衣服等の適性度に関する情報を提供する場合の処理フロー、及び画面について説明する。【０２４５】
図３０、及び図３１は、第１ユーザが衣服等のコードを読み取って、衣服等の適性度に関する情報を情報管理サーバ５０から受信する処理フローを示している。【０２４６】
最初に、ステップＳ１４１において、第１ユーザが、第１ユーザ端末２０を操作して、自身の衣服等である対象２のコード３を第１ユーザ端末２０のカメラで読み取る。この処理は、例えば、図２１に示すコード読取画面６００の撮像範囲６０１に被写体であるコード３を表示させる場合と同様である。【０２４７】
その後、ステップＳ１４２において、第１ユーザ端末２０は、撮影した画像に基づいてデコード処理を行い、ＵＲＬを求める。このとき、ＵＲＬパラメータには、コード３から求められたコードデータ５が含まれ、このコードデータ５によって対象２がユニークに識別される。【０２４８】
次に、第１ユーザ端末２０は、ステップＳ１４３において、ＵＲＬによりサーバにアクセスを行う（ＨＴＴＰリクエスト）。ＵＲＬを指定したアクセスにより、情報管理サーバ５０にコードデータ５が送信されることになる。このようなＵＲＬによる情報管理サーバ５０へのアクセスは、コード３の読み取りから自動的に行われる場合もあるし、第１ユーザによって起動するＷＥＢブラウザを設定する等の処理を経由して行われる場合もある。また、このとき、第１ユーザ端末２０の位置情報６も情報管理サーバ５０に送信される。【０２４９】
ステップＳ１４４において、情報管理サーバ５０は、第１ユーザ端末２０からアクセスされると、ＵＲＬパラメータのコードデータ５に基づいて、衣服特性情報テーブル５７５を検索する。【０２５０】
同じ又は対応するコードデータ５が存在しない場合（ステップＳ１４５のＮＯ）、第１ユーザ端末２０に、対応するコードが無いことを示す所定のレスポンスを送信し、第１ユーザ端末２０はこれを受信し表示する（ステップＳ１４６）。また、このとき、所定のコンテンツデータを送信させるなどしてもよい。【０２５１】
コードデータ５が存在する場合（ステップＳ１４５のＹＥＳ）、ステップＳ１４７において、衣服特性情報テーブル５７５から、対応する特性指標を取得する。さらに、ステップＳ１４８において、取得した位置情報６に応じて、当日の気象情報を、例えば、所定の気象情報提供機関のデータベースにアクセスして取得する。気象情報は、例えば、天気、気温、湿度、最低予想気温、最高予想気温、風速、風向き等の情報を含む。【０２５２】
次に、ステップＳ１４９において、特性指標と気象情報に基づき、対象２である衣服等の適性度を判定する。ここで、特性指標は、衣服等の素材や形状等に関する指標であり、複数の指標により構成されていてもよい。衣服等の適性度は、本日の天気、気温等において、どのような衣服等を着用することが、外観や寒暖の観点等から適切であるかを示す指標であり、所定のロジックにより求められる。【０２５３】
次に、ステップＳ１５０において、受信した位置情報６等に基づいて、対応する動画等のコンテンツ名を取得する。【０２５４】
その後、ステップＳ１５１において、ＨＴＴＰレスポンスとして、適性度表示画面を第１ユーザ端末２０に表示させるためのＷＥＢページ表示用データを生成するよう制御する。【０２５５】
第１ユーザ端末２０は、情報管理サーバ５０から受信したＨＴＴＰレスポンスに応じて、図３２に示すような適性度表示画面６９０を表示する（ステップＳ１５２）。適性度表示画面６９０には、コードデータ５と対象２の情報を表示する対象表示エリア６９１、気象情報を表示する気象情報表示エリア６９２、コンテンツを表示するコンテンツ表示エリア６９３、対象２（衣服等）の適性度を示す適性度表示エリア６９４、読み取りボタン６９５、履歴管理ボタン６９６、及び組合せ表示ボタン６９７が配置されている。【０２５６】
対象表示エリア６９１には、対象２から取得したコードデータ５と、コードデータ５に基づいて衣服情報テーブル５７９から取得した、対応する衣服等の情報が示されている。また、コンテンツ表示エリア６９３には、ステップＳ１５０で取得されたコンテンツ名の動画等が再生表示される。【０２５７】
このように、第１ユーザは、衣服等のコード３を読み取るだけで、その日にその衣服等を着用することが適切かどうかを判断することができる。また、第１ユーザが日付を設定することにより、将来の特定の日付の天気、気温等に対して、コード３を読み取った衣服等がどの程度フィットしたものであるかが表示される。【０２５８】
次に、ステップＳ１５３において、読み取りボタン６９５が選択されたか否かが判定され、読み取りボタン６９５が選択された場合は（ステップＳ１５３のＹＥＳ）、ステップＳ１４１の処理に戻り、第１ユーザはここで、次の衣服等について適性度の表示をさせることができる。【０２５９】
読み取りボタン６９５の選択でない場合（ステップＳ１５３のＮＯ）、処理は、図３１のステップＳ１７１に進み、そこで、履歴管理ボタン６９６が選択されたか否かが判定され、履歴管理ボタン６９６が選択された場合は（ステップＳ１７１のＹＥＳ）、ステップＳ１７２の処理に進み、そこで、利用履歴管理テーブル５７６を参照し、対応するコードデータ５とデバイスＩＤのレコードについて、利用履歴情報を取得する。【０２６０】
次に、ステップＳ１７３において、ＨＴＴＰレスポンスとして、利用履歴管理画面を第１ユーザ端末２０に表示させるためのＷＥＢページ表示用データを生成するよう制御する。【０２６１】
第１ユーザ端末２０は、情報管理サーバ５０から受信したＨＴＴＰレスポンスに応じて、図３３に示すような利用履歴管理画面７００を表示する（ステップＳ１７４）。利用履歴管理画面７００には、コードデータ５と対象２の情報を表示する対象表示エリア７０１、その対象２（衣服等）についての利用履歴を表示する利用履歴表示エリア７０２、及び履歴追加ボタン７０３が配置されている。【０２６２】
ステップＳ１７５において、第１ユーザ端末２０は、履歴追加ボタン７０３が選択されるか否かを判定し、履歴追加ボタン７０３が選択された場合（ステップＳ１７５のＹＥＳ）、情報管理サーバ５０は、第１ユーザによって入力された利用履歴を、利用履歴管理テーブル５７６に記憶する（ステップＳ１７６）。【０２６３】
このような利用履歴管理画面７００によって、第１ユーザが、衣服等の対象２をいつどのような状況で利用したかを容易に把握することができる。このような利用履歴は第１ユーザ自身が、履歴追加ボタン７０３を選択することによって追加することができる。例えば、第１ユーザは、適性度表示画面６９０で表示された適性度を見て、衣服等について当日の着用を決断し、直後に、利用履歴管理画面７００で履歴追加ボタン７０３を選択し、その衣服等についての当日の着用を履歴として記録する、といったことが可能となる。【０２６４】
ステップＳ１７１において、履歴管理ボタン６９６の選択でない場合は（ステップＳ１７１のＮＯ）、処理は、ステップＳ１７７に進み、そこで、組合せ表示ボタン６９７が選択されたか否かが判定され、組合せ表示ボタン６９７が選択された場合は（ステップＳ１７７のＹＥＳ）、ステップＳ１７８の処理に進み、そこで、組合せ情報テーブル５７８を参照して、そこから、コードデータ５を含む組合せを取得する。【０２６５】
さらに、ステップＳ１７９において、取得した組合せで、コードデータ５に対応する対象２以外の衣服等について、衣服情報テーブル５７９を参照して、それぞれの衣服等に関する情報を取得する。【０２６６】
次に、ステップＳ１８０において、ＨＴＴＰレスポンスとして、組合せ表示画面を第１ユーザ端末２０に表示させるためのＷＥＢページ表示用データを生成するよう制御する。【０２６７】
第１ユーザ端末２０は、情報管理サーバ５０から受信したＨＴＴＰレスポンスに応じて、図３４に示すような組合せ表示画面７１０を表示する（ステップＳ１８１）。組合せ表示画面７１０には、コードデータ５と対象２の情報を表示する対象表示エリア７１１、その対象２（衣服等）についてのおすすめの組合せを表示するおすすめ組合せ表示エリア７１２、及び次の組合せを表示するための次へボタン７１３が配置されている。【０２６８】
第１ユーザは、こうした組合せ表示画面７１０を表示することによって、コード３を読み取った対象２の衣装等について、適性度とともに組合せて着用することがおすすめである他の衣装等のついての情報を得ることができる。【０２６９】
なお、この例では、組合せ情報テーブル５７８に記憶されている好適な組合せに関するデータは、第３ユーザ（すなわち、衣服等のメーカや他の組織）により提供されるものであるが、これらをメーカごと組織ごとの、複数の異なるパターンの組合せ情報として提供することもでき、第１ユーザは、その組合せ情報を適宜選択することができる。【０２７０】
次に、図３５ないし図３９を参照して、本実施形態に係る情報管理システム１において、救急搬送時における患者情報を提供する場合の処理フロー、及び画面について説明する。【０２７１】
図３５は、第１ユーザが救急対応が必要な患者に接した場合に、第１ユーザ端末２０を操作して情報管理サーバ５０から情報の提供を受ける処理フローを示している。【０２７２】
最初に、ステップＳ２０１において、第１ユーザが、第１ユーザ端末２０を操作して、患者のアンダーウエア等である対象２のコード３を第１ユーザ端末２０のカメラで読み取る。この処理は、例えば、図２１に示すコード読取画面６００の撮像範囲６０１に被写体であるコード３を表示させる場合と同様である。【０２７３】
その後、ステップＳ２０２において、第１ユーザ端末２０は、撮影した画像に基づいてデコード処理を行い、ＵＲＬを求める。このとき、ＵＲＬパラメータには、コード３から求められたコードデータ５が含まれ、このコードデータ５によって対象２がユニークに識別される。【０２７４】
次に、第１ユーザ端末２０は、ステップＳ２０３において、ＵＲＬによりサーバにアクセスを行う（ＨＴＴＰリクエスト）。ＵＲＬを指定したアクセスにより、情報管理サーバ５０にコードデータ５が送信されることになる。このようなＵＲＬによる情報管理サーバ５０へのアクセスは、コード３の読み取りから自動的に行われる場合もあるし、第１ユーザによって起動するＷＥＢブラウザを設定する等の処理を経由して行われる場合もある。また、このとき、第１ユーザ端末２０のデバイスＩＤ、及び位置情報６も情報管理サーバ５０に送信される。【０２７５】
ステップＳ２０４において、情報管理サーバ５０は、取得したデバイスＩＤに基づいて、ユーザ情報テーブル５８１を参照して、第１ユーザ端末２０が正当な端末であるか否かをチェックする。このような本人認証チェックでは、第１ユーザが入力したユーザＩＤを用いて行ったり、所定の認証機関を利用して行うこともできる。なお、ユーザ情報テーブル５８１は詳細に説明しないが、第１ユーザを管理する機関が提供するデータである。【０２７６】
ステップＳ２０５において、本人認証がＯＫか否かが判定され、ＯＫでなければ（ステップＳ２０５のＮＯ）、ユーザの認証エラーである旨のメッセージを表示するよう制御し、第１ユーザ端末２０は、これに応じて、その旨のメッセージの表示を行う（ステップＳ２０６）。【０２７７】
次に、ステップＳ２０７において、情報管理サーバ５０は、取得した位置情報６に基づいて、位置情報テーブル５８２を参照して、第１ユーザ端末２０が正当な位置に存在する端末であるか否かをチェックする。この例では、位置情報テーブル５８２は、ステップＳ２０４の本人認証の際にユーザ情報テーブル５８１によって得られた機関ごとに、妥当な位置の範囲が設定されている。位置情報テーブル５８２では、２つの位置情報（位置情報Ａ、位置情報Ｂ）で２地点を定義し、取得した位置情報６が、その２地点で定義される矩形領域のなかに入っていれば認証がＯＫとなる。また、このとき多少の領域的余裕を設定することもでき、上記の矩形領域からわずかに離れている位置であれば認証ＯＫとすることもできる。また、位置情報テーブル５８２において１つの位置情報を定義し、取得した位置情報６が、当該位置情報で示される位置から所定距離以内の領域（すなわち、円形の領域）や、その位置を基準として設定される所定形状の領域のなかに入っていた場合に認証をＯＫとすることもできる。【０２７８】
ステップＳ２０８において、位置認証がＯＫか否かが判定され、ＯＫでなければ（ステップＳ２０８のＮＯ）、位置の認証エラーである旨のメッセージを表示するよう制御し、第１ユーザ端末２０は、これに応じて、その旨のメッセージの表示を行う（ステップＳ２０９）。【０２７９】
次に、ステップＳ２１０において、情報管理サーバ５０は、登録情報管理テーブル５７２を参照して、取得したコードデータ５に対応する身元情報コードを取得し、ステップＳ２１１において、身元特定情報テーブル５８０を参照して、ステップＳ２１０で取得した身元情報コードに対応する身元特定情報を取得する。【０２８０】
次に、ステップＳ２１２において、第１ユーザ端末２０に身元特定情報表示画面を表示させるためのＷＥＢページ表示用データを生成し、第１ユーザ端末２０にＨＴＴＰレスポンスとして送信する。【０２８１】
第１ユーザ端末２０は、このＨＴＴＰレスポンスに応じて、図３７に示すような身元特定情報表示画面７２０を表示する（ステップＳ２１４）。身元特定情報表示画面７２０には、コードデータ５と身元情報コードを表示するコード表示エリア７２１、及び身元特定情報を表示する身元特定情報表示エリア７２２が配置されている。【０２８２】
このような身元特定情報表示画面７２０により、患者に対応する救急隊員や看護士は、患者の情報を迅速に確認することができ、患者は、自身の身元特定情報が、人と場所を要件とした厳格な条件の元でのみ開示されるという安心感がある。【０２８３】
次に、情報管理サーバ５０は、ステップＳ２１３において、患者が機関に救急搬送され身元情報が閲覧されたことを記録するため、取得したコードデータ５と機関名（又は機関ＩＤ）を閲覧情報としてコード情報管理テーブル５７１に記憶する。【０２８４】
図３６は、第２ユーザが本人、又は家族等を登録・発見するための関連処理フローを示している。【０２８５】
最初に、ステップＳ２３１において、第２ユーザが、第２ユーザ端末３０を操作して、ユーザＩＤとパスワードを用いて情報管理システム１にログインする。この例では、第２ユーザは、事前にユーザ登録を行ってユーザＩＤを取得し、そのユーザＩＤで情報管理システム１にログインするようにしているが、デバイスＩＤ等で第２ユーザ端末３０をユニークに管理し、ユーザ登録等の操作なしに、情報管理システム１を利用するようにもできる。【０２８６】
ステップＳ２３２において、第２ユーザからユーザＩＤ、パスワードを受信した情報管理サーバ５０は、ユーザ管理テーブル（不図示）によりユーザ認証を行った後、登録情報管理テーブル５７２を参照して、ログインしたユーザＩＤに対応する登録情報（身元情報コードが設定されているレコード）を把握し、コード情報管理テーブル５７１に、登録情報のコードデータ５に対応する閲覧情報が記憶されていた場合、これを取得する。【０２８７】
次に、情報管理サーバ５０は、ステップＳ２３３において、ユーザ画面データを生成し、第２ユーザ端末３０に送信する。このユーザ画面データは、ステップＳ２３２で、既に登録されている対象２が存在していれば、その対象２に関する情報を含むように構成され、さらに、登録している対象２に関する閲覧情報があれば、その閲覧情報を含むように構成される。【０２８８】
第２ユーザ端末３０は、情報管理サーバ５０からユーザ画面データを受信すると、図３８に示すようなユーザ画面を表示する（ステップＳ２３４）。ユーザ画面７３０には、右上にユーザＩＤ（「Ｕ００４」）が表示され、その下に、対象一覧表示エリア７３１、及び新規登録ボタン７３３が配置されている。また、コードデータ５の表示部分は下線が付されており、この部分は、選択すると詳細表示画面（不図示）に遷移するリンク表示７３２となっている。詳細表示画面では、閲覧日時や、閲覧を行った者（第１ユーザ）に対してチャットや音声通話でコミュニケーションを実現するためのリンク（チャットリンク、音声通話リンク）が表示される。【０２８９】
対象一覧表示エリア７３１には、コードデータ５、身元情報の閲覧有無、及び閲覧場所が、対象２のそれぞれについて表示されている。【０２９０】
ステップＳ２３５において、第２ユーザが新規登録ボタン７３３を選択するか否かが判定され、新規登録ボタン７３３が選択されると（ステップＳ２３５のＹＥＳ）、ステップＳ２３６において、第２ユーザの操作により、対象２（この例では、第２ユーザ本人、又は家族等のアンダーウエア）のコード３を読み取る。これは、例えば、第２ユーザ端末３０に、図２４に示すようなコード読取画面６４０が表示され、コード読取画面６４０の撮像範囲６４１に被写体であるコード３を表示させることによって行われる。【０２９１】
その後、第２ユーザ端末３０は、ステップＳ２３７において、図３９に示すような登録画面７４０を表示する。登録画面７４０は、右上にユーザＩＤが表示され、その下に、読み取った対象２のコードデータ５が表示され、さらにその下に、登録情報入力エリア７４１、及び登録ボタン７４２が配置されている。登録情報入力エリア７４１には、さらに、氏名、住所、年齢、性別、血液型、電話番号等の登録情報（身元情報）を入力するための入力エリアが配置されている。【０２９２】
次に、第２ユーザ端末３０は、ステップＳ２３８において、第２ユーザにより入力された登録情報を取得し、第２ユーザが登録ボタン７４２を選択して登録指示を行ったか否かを判定する（ステップＳ２３９）。第２ユーザが登録指示を行った場合（ステップＳ２３９のＹＥＳ）、ステップＳ２４０において、取得した登録情報を情報管理サーバ５０に送信し、登録情報を受信した情報管理サーバ５０は、ステップＳ２４１において、身元情報コードを採番し、受信した登録情報と身元情報コードを身元特定情報テーブル５８０に記憶する。【０２９３】
次に、ステップＳ２４２において、採番された身元情報コードを、ユーザＩＤとともに、登録情報管理テーブル５７２に記憶する。【０２９４】
この例では、第２ユーザが対象２に付けられたコード３を読み取って登録を行うものであり、これは、第１ユーザが読み取ったもの（対象２に付けられたコード３）と同じであるが、第２ユーザは、対象２からではなく、対象２の購入時に付けられていた下げ札や登録カードからコード３を読み取ってもよい。【０２９５】
また、対象２の購入時に付けられている下げ札や登録カードには、コード３に対応する別のコード３’が表記されており、第２ユーザは、このコード３’を読み取って登録を行ってもよい（なお、この場合は、コード３から取得されるコードデータ５とコード３’から取得されるコードデータ５’とを対応付けるコードデータ対応テーブル（不図示）が必要となる）。【０２９６】
また、さらに、下げ札や登録カードに表示された２次元コードに、専用アプリケーションでのみ読み取ることが可能な秘匿領域を設け、そこからコードデータ５’を読み取るようにすることもできる。【０２９７】
なお、図３６のフローチャートで示した、第２ユーザによる対象２の登録操作は、対象２の購入直後に行うこともできるし、対象２の利用者の安否が不明になった後など、様々なタイミングで行うことができる。【０２９８】
なお、ここまで説明してきた情報管理システム１では、説明の便宜上、コードデータ５をそのままユーザ画面、登録画面、捜索画面等に表示しているが、このコードデータ５の代わりに、例えば、第２ユーザごとや対象２のジャンルごとにユニークとなる別の識別子を表示するよう構成することもできる。コードデータ５は、基本的に、対象２をユニークに識別するデータであるため、桁数の大きな数字で構成されることになり、そのまま表示するデータとして適しているとは言えない。【０２９９】
上述の情報管理システム１では、第２ユーザが第２ユーザ端末に専用アプリケーションをダウンロードして、対象２に付けられたコード３を撮影することで、その対象を登録するが、このような仕組みでは、対象２が販売される前にそのコード３を撮影して登録を行うこともできる。そこで、このような登録を防止するために、対象２に付けられているコード３とは異なるコード３’を、購入するまで撮影できない登録カードに表示するように構成することができる。また、最初の登録のみを有効にするよう構成したり、登録の際に、所定の認証を行うよう構成したりすることもできる。【０３００】
また、上述の情報管理システム１では、第１ユーザ端末２０が、対象２に関する位置情報を情報管理サーバ５０に送信するが、対象２のコード３を撮影する時点で対象２が高速移動している場合（例えば、対象２を着用する対象者が車、電車等の乗り物に乗っている場合であって、このとき、第１ユーザ端末２０を操作する第１ユーザもこの乗り物に乗り合わせている）、その旨を情報管理サーバ５０に送信し、最終的に、対象２が（対象２に対応するコードデータ５が）高速移動中であるか否かを第２ユーザ端末３０に表示させるように構成することもできる。【０３０１】
第１ユーザ端末２０では、所定期間（例えば、数秒から十数秒の期間）において、開始時点と終了時点での位置をＧＰＳで取得することによって、当該所定期間での移動距離を算出し、この移動距離を所定期間で除算することにより、移動速度を求めることができる。このようにして求められた移動速度が所定の閾値を超えた場合は、高速移動であると判断する。【０３０２】
この場合、対象２を着用する対象者を捜索する第２ユーザは、第２ユーザ端末３０において、対象２が高速移動中であるか否かを知ることができるので、捜索方法や対象者にコンタクトするための方法を、より効果的に決定することがきる。【０３０３】
ここまで、本発明の一実施形態に係る情報管理システム１を参照して、本発明の特徴的な構成を説明してきたが、本実施形態は一例に過ぎない。上記以外の様々な構成によって、本発明の情報管理システムを実現することができる。
【産業上の利用可能性】
【０３０４】
本発明に係る情報管理システムは、読み取ったコードと、当該コードを読み取った位置に応じて、関連する端末に所定の情報を表示することができるため、当該コードや当該コードが表示された物の生産、流通が促進されるとともに、情報管理システムの利用が促進される。
【図１】
2018084023.tif 000003
【図２】
2018084023.tif 000004
【図３】
2018084023.tif 000005
【図４】
2018084023.tif 000006
【図５】
2018084023.tif 000007
【図６】
2018084023.tif 000008
【図７】
2018084023.tif 000009
【図８】
2018084023.tif 000010
【図９】
2018084023.tif 000011
【図１０】
2018084023.tif 000012
【図１１】
2018084023.tif 000013
【図１２】
2018084023.tif 000014
【図１３】
2018084023.tif 000015
【図１４】
2018084023.tif 000016
【図１５】
2018084023.tif 000017
【図１６】
2018084023.tif 000018
【図１７】
2018084023.tif 000019
【図１８】
2018084023.tif 000020
【図１９】
2018084023.tif 000021
【図２０】
2018084023.tif 000022
【図２１】
2018084023.tif 000023
【図２２】
2018084023.tif 000024
【図２３】
2018084023.tif 000025
【図２４】
2018084023.tif 000026
【図２５】
2018084023.tif 000027
【図２６】
2018084023.tif 000028
【図２７】
2018084023.tif 000029
【図２８】
2018084023.tif 000030
【図２９】
2018084023.tif 000031
【図３０】
2018084023.tif 000032
【図３１】
2018084023.tif 000033
【図３２】
2018084023.tif 000034
【図３３】
2018084023.tif 000035
【図３４】
2018084023.tif 000036
【図３５】
2018084023.tif 000037
【図３６】
2018084023.tif 000038
【図３７】
2018084023.tif 000039
【図３８】
2018084023.tif 000040
【図３９】
2018084023.tif 000041
【国際調査報告】
2018084023.tif 000042
2018084023.tif 000043
2018084023.tif 000044
2018084023.tif 000045